(57)【要約】  左眼用映像と右眼用映像とを表示する液晶パネルと、映像信号を液晶パネルに書き込む液晶駆動部と、液晶パネルに光を照射するバックライトと、左眼用映像が左眼で視聴される左眼視聴期間及び右眼用映像が右眼で視聴される右眼視聴期間それぞれにおいて、バックライトが発光する第１発光期間が設けられるようにバックライトを制御する制御部と、を備え、制御部は、左眼用映像及び右眼用映像がともに視聴されない非視聴期間において、バックライトが発光する第２発光期間が設けられるようにバックライトを制御するとともに、第１発光期間と第２発光期間との間に、バックライトが消灯される消灯期間を設けることを特徴とする表示装置。
2011142141.tif 000002
【特許請求の範囲】
【請求項１】
左眼で視聴されるように作成された左眼用映像と右眼で視聴されるように作成された右眼用映像とを時間的に交互に切り換えて表示する液晶パネルと、
前記左眼用映像を作成するための左眼用映像信号と、前記右眼用映像を作成するための右眼用映像信号と、を含む映像信号を前記液晶パネルに書き込む液晶駆動部と、
前記液晶パネルに光を照射するバックライトと、
前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、
該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする表示装置。
【請求項２】
前記液晶パネルの温度を検出する温度検出部を更に備え、
前記制御部は、前記液晶パネルの前記温度に応じて、前記第２発光期間の長さを調整することを特徴とする請求項１記載の表示装置。
【請求項３】
前記液晶パネルの温度を検出する温度検出部を更に備え、
前記制御部は、前記液晶パネルの前記温度に応じて、前記第２発光期間における前記バックライトの発光輝度を調整することを特徴とする請求項１に記載の表示装置。
【請求項４】
前記バックライトは、互いに異なる前記液晶パネルの領域に前記光を照射する第１照射領域及び第２照射領域を含み、
前記制御部は、前記第１照射領域における前記第２発光期間の長さと、前記第２照射領域における前記第２発光期間の長さとを独立して制御することを特徴とする請求項２に記載の表示装置。
【請求項５】
前記バックライトは、互いに異なる前記液晶パネルの領域に前記光を照射する第１照射領域及び第２照射領域を含み、
前記制御部は、前記第１照射領域の発光輝度と、前記第２照射領域の発光輝度とを独立して制御することを特徴とする請求項３に記載の表示装置。
【請求項６】
前記液晶パネルは、前記第１照射領域によって光が照射される第１表示領域と、前記第２照射領域によって光が照射される第２表示領域とを含み、
前記温度検出部は、前記第１表示領域及び前記第２表示領域の温度を検出し、
前記第１表示領域の温度が前記第２表示領域の温度より低いとき、前記制御部は、前記第１照射領域における前記第２発光期間を第２照射領域における前記第２発光期間より長くし、
前記第２表示領域の温度が前記第１表示領域の温度より低いとき、前記制御部は、前記第２照射領域における前記第２発光期間を第１照射領域における前記第２発光期間より長くすることを特徴とする請求項４に記載の表示装置。
【請求項７】
前記液晶パネルは、前記第１照射領域によって光が照射される第１表示領域と、前記第２照射領域によって光が照射される第２表示領域とを含み、
前記温度検出部は、前記第１表示領域及び前記第２表示領域の温度を検出し、
前記第１表示領域の温度が前記第２表示領域の温度より低いとき、前記制御部は、前記第１照射領域の発光輝度を前記第２照射領域の発光輝度よりも高くし、
前記第２表示領域の温度が前記第１表示領域の温度より低いとき、前記制御部は、前記第２照射領域の発光輝度を前記第１照射領域の発光輝度よりも高くすることを特徴とする請求項５に記載の表示装置。
【請求項８】
前記第１照射領域は、前記第２照射領域よりも上方に形成され、
前記制御部は、前記第２照射領域における前記第２発光期間を第１照射領域における前記第２発光期間より長くすることを特徴とする請求項４に記載の表示装置。
【請求項９】
前記第１照射領域は、前記第２照射領域よりも上方に形成され、
前記制御部は、前記第２照射領域の発光輝度を前記第１照射領域の発光輝度よりも高くすることを特徴とする請求項５に記載の表示装置。
【請求項１０】
前記第１表示領域及び前記第２表示領域は、前記液晶駆動部による前記映像信号の書き込みの副走査方向に分割され、
前記制御部は、前記第１表示領域への前記映像信号の書き込みに同期して、前記第１照射領域を発光させるとともに前記第２表示領域への前記映像信号の書き込みに同期して前記第２照射領域を発光させるように前記第１発光期間を設けることを特徴とする請求項６に記載の表示装置。
【請求項１１】
前記制御部は、前記左眼へ到達する光の量を調整する左眼フィルタと、前記右眼へ到達する光の量を調整する右眼フィルタと、を含む眼鏡装置を制御し、
前記左眼フィルタは、前記制御部の制御下で、前記左眼視聴期間において前記左眼へ到達する前記光の量を増大させ、
前記右眼フィルタは、前記制御部の制御下で、前記右眼視聴期間において前記右眼へ到達する前記光の量を増大させることを特徴とする請求項１に記載の表示装置。
【請求項１２】
左眼用映像と右眼用映像とを時間的に切り換えて表示する表示装置と、
前記左眼へ到達する光の量を調整する左眼フィルタと、前記右眼へ到達する光の量を調整する右眼フィルタと、を含む眼鏡装置と、を備え、
前記表示装置は、
左眼用映像と右眼用映像とを時間的に交互に切り換えて表示する液晶パネルと、
前記左眼用映像を作成するための左眼用映像信号と、前記右眼用映像を作成するための右眼用映像信号と、を含む映像信号を前記液晶パネルに書き込む液晶駆動部と、
該液晶パネルに光を照射するバックライトと、
前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、
前記左眼フィルタは、前記制御部の制御下で、前記左眼視聴期間において、前記左眼へ到達する前記光の量を増大させ、
前記右眼フィルタは、前記制御部の制御下で、前記右眼視聴期間において、前記右眼へ到達する前記光の量を増大させ、
該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする映像視聴システム。
【発明の詳細な説明】
【技術分野】
【０００１】
本発明は、映像を立体的に知覚させるための映像を表示する表示装置及び該表示装置が表示する映像を視聴するための映像視聴システムに関する。
【背景技術】
【０００２】
映像を立体的に知覚させるための映像を表示する表示装置は、左眼で視聴されるための左眼用映像と、右眼で視聴されるための右眼用映像とを所定周期（例えば、フィールド周期）で交互に表示する。表示される左眼用映像及び右眼用映像は、視差の分だけ異なる内容を含む。視聴者は、左眼用映像及び右眼用映像の表示周期に同期して駆動される液晶シャッタを備える眼鏡装置を通じて、左眼用映像及び右眼用映像を視聴する（例えば、特許文献１及び特許文献２参照）。この結果、視聴者は、左眼用映像及び右眼用映像によって表現されたオブジェクトを立体的に知覚する。【０００３】
図１２は、従来の映像視聴システムのブロック図である。尚、図１２に示される映像視聴システムには、６０Ｈｚの映像信号（左眼用映像信号及び右眼用映像信号）が入力される。【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０Ｈｚで左眼用映像及び右眼用映像が交互に表示される。【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。【０００６】
図１３は、従来の映像視聴システム９００の制御タイミングチャートである。図１３のセクション（Ａ）は、液晶パネル９０４の左眼用映像及び右眼用映像の走査タイミングを示す。図１３のセクション（Ｂ）は、バックライト９０５の点灯タイミングを示す。図１３のセクション（Ｃ）は、眼鏡装置９５０のシャッタ９５１，９５２の開閉タイミングを示す。図１２及び図１３を参照しつつ、従来の映像視聴システム９００が説明される。【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴される左眼用映像及び右眼用映像は、視聴者の左右の眼でそれぞれ視聴される。この結果、視聴者は、脳内で、視覚的な立体像を生成する。【０００８】
図１３に示される制御タイミングで動作する映像視聴システムにおいて、視聴者はシャッタ９５１，９５２が開かれている期間（立体像の生成に必要な映像を視聴するのに十分な期間）のみ左眼用映像又は右眼用映像を視聴する。一方、バックライト９０５は、シャッタ９５１，９５２が開かれている期間以外の期間においても常時点灯している。したがって、図１３に示される制御タイミングで動作する映像視聴システムは、省電力の観点から好ましくない。【０００９】
図１４は、従来の映像視聴システム９００の他の制御タイミングチャートである。図１４のセクション（Ａ）は、液晶パネル９０４の左眼用映像及び右眼用映像の走査タイミングを示す。図１４のセクション（Ｂ）は、バックライト９０５の点灯タイミングを示す。図１４のセクション（Ｃ）は、眼鏡装置９５０のシャッタ９５１，９５２の開閉タイミングを示す。図１２乃至図１４を参照しつつ、従来の映像視聴システム９００が更に説明される。【００１０】
特許文献２は、左眼用映像又は右眼用映像が視聴される期間のみバックライト９０５が点灯される制御を開示する。図１４に示される制御では、図１３に示される制御と異なり、左眼用映像又は右眼用映像が視聴される期間のみバックライト９０５が発光している。したがって、図１４に示される制御は、図１３に示される制御よりも省電力の点で優れている。【００１１】
図１４に示される映像視聴システムは、以下に述べられるような課題を有する。左眼用映像又は右眼用映像が視聴される期間のみバックライト９０５が点灯されることは、バックライト９０５の点灯期間の短縮を意味する。バックライト９０５の点灯期間の短縮の結果、液晶パネル９０４の温度低下が引き起こされる。液晶パネル９０４の温度低下は、液晶パネル９０４の応答速度の低下を招来する。【００１２】
液晶パネル９０４の応答速度が低下すると、遅い液晶の応答に起因して、例えば、右眼用映像の走査の完了の後も、左眼用映像の一部が液晶パネル９０４に表示され続ける。この結果、左眼用映像からの映像光が右眼シャッタを透過し、視聴者の右眼へ到達する。同様に、左眼用映像の走査完了の後に表示され続ける右眼用映像の一部からの映像光が左眼用シャッタを透過し、視聴者の左眼へ到達する。右眼で視聴される左眼用映像及び／又は左眼で視聴される右眼用映像はクロストークと呼ばれる妨害画像であり、視聴者の脳内での視覚的な立体像の生成を阻害する。
【先行技術文献】
【特許文献】
【００１３】
【特許文献１】特開昭６２−１３３８９１号公報
【特許文献２】特開２００９−２５４３６号公報
【発明の概要】
【００１４】
本発明は、左眼用映像と右眼用映像との間のクロストークを抑制することができる表示装置及び映像視聴システムを提供することを目的とする。
【００１５】
本発明の一の局面に係る表示装置は、左眼で視聴されるように作成された左眼用映像と右眼で視聴されるように作成された右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【００１６】
本発明の他の局面に係る映像視聴システムは、左眼用映像と右眼用映像とを時間的に切り換えて表示する表示装置と、前記左眼へ到達する光の量を調整する左眼フィルタと、前記右眼へ到達する光の量を調整する右眼フィルタと、を含む眼鏡装置と、を備え、前記表示装置は、左眼用映像と右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、前記左眼フィルタは、前記制御部の制御下で、前記左眼視聴期間において、前記左眼へ到達する前記光の量を増大させ、前記右眼フィルタは、前記制御部の制御下で、前記右眼視聴期間において、前記右眼へ到達する前記光の量を増大させ、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【図面の簡単な説明】
【００１７】
【図１】第１実施形態に係る映像視聴システムの構成を概略的に示すブロック図である。
【図２】図１に示される映像視聴システムの概略図である。
【図３】図１に示される映像視聴システムの制御を概略的に表す制御タイミングチャートである。
【図４】第２実施形態に係る映像視聴システムの構成を概略的に示すブロック図である。
【図５】図４に示される映像視聴システムの制御を概略的に表す制御タイミングチャートである。
【図６】図５に示される映像視聴システムの制御に用いられる液晶パネルの温度と、液晶パネルの温度に対して設定される第２発光期間との間の関係を例示するグラフである。
【図７Ａ】図４に示される映像視聴システムの温度検出部による液晶パネルの温度の検出手法を例示する液晶パネルの表示領域の概略図である。
【図７Ｂ】図４に示される映像視聴システムの温度検出部による液晶パネルの温度の検出手法を例示する液晶パネルの表示領域の概略図である。
【図８】第３実施形態に係る映像視聴システムの制御を概略的に表す制御タイミングチャートである。
【図９】図８に示される映像視聴システムの制御に用いられる液晶パネルの温度と、液晶パネルの温度に対して設定される第２発光期間におけるバックライトの発光輝度と間の関係を例示するグラフである。
【図１０】第４実施形態に係る映像視聴システムの制御を概略的に表す制御タイミングチャートである。
【図１１】第５実施形態に係る映像視聴システムの制御を概略的に表す制御タイミングチャートである。
【図１２】従来の映像視聴システムの構成を概略的に示すブロック図である。
【図１３】従来の映像視聴システムの制御を例示する制御タイミングチャートである。
【図１４】従来の映像視聴システムの制御を例示する制御タイミングチャートである。
【発明を実施するための形態】
【００１８】
以下、一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本実施形態の原理は、これらに何ら限定されるものではない。
【００１９】
＜第１実施形態＞
（映像視聴システムの構成）
図１は、第１実施形態に係る映像視聴システムの構成を概略的に示すブロック図である。図２は、図１に示される映像視聴システムの概略図である。図１及び図２を参照しつつ、映像視聴システムの構成が説明される。
【００２０】
映像視聴システム１００は、左眼で視聴されるための左眼用映像信号（以下、Ｌ信号と称される）に基づく左眼用映像と、右眼で視聴されるための右眼用映像信号（以下、Ｒ信号と称される）に基づく右眼用映像とを表示する表示装置２００と、表示装置２００が表示する映像の視聴を補助する眼鏡装置３００とを備える。視聴者は、眼鏡装置３００を通じて、表示装置２００が表示する映像を立体的に知覚する。
【００２１】
視力矯正用の眼鏡と同様の形状をなす眼鏡装置３００は、視聴者の左眼前に配設される左眼フィルタ３１１と、視聴者の右眼前に配設される右眼フィルタ３１２とを含む光学フィルタ部３１０を備える。左眼フィルタ３１１及び右眼フィルタ３１２は、表示装置２００が表示する映像から視聴者の左眼へ到達する光の量（以下、左眼光量と称される）及び視聴者の右眼へ到達する光の量（以下、右眼光量と称される）を調整可能に形成される光学素子を含む。左眼フィルタ３１１及び右眼フィルタ３１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。左眼フィルタ３１１は、左眼用映像の表示に同期して、左眼光量を増大させる一方で、右眼用映像の表示に同期して、左眼光量を低減させるように制御される。同様に、右眼フィルタ３１２は、右眼用映像の表示に同期して、右眼光量を増大させる一方で、左眼用映像の表示に同期して、右眼光量を低減させるように制御される。
【００２２】
表示装置２００は、映像信号処理部２１０、液晶駆動部２２０、表示部２３０、第１制御部２５０及び第２制御部２４０を備える。
【００２３】
映像信号処理部２１０には、制御の基礎となる垂直同期周波数を有する映像信号（左眼用映像信号及び右眼用映像信号）が入力される。そして、映像信号処理部２１０は、入力された映像信号を、制御の基礎となる垂直同期周波数のＮ倍（Ｎは自然数）の周波数で、Ｌ信号とＲ信号とに分割して出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。映像信号処理部２１０は、Ｌ信号及びＲ信号の出力に同期して、第１制御部２５０に制御信号を出力する。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学フィルタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の出力に同期する１２０Ｈｚの同期信号であってもよい。本実施形態において第１制御部２５０及び／又は第２制御部２４０は制御部として例示される。
【００２４】
表示部２３０は、左眼で視聴されるように作成された左眼用映像と、右眼で視聴されるように作成された右眼用映像とを時間的に交互切り換えて表示する液晶パネル２３１と、液晶パネル２３１に光を照射するバックライト２３２とを備える。液晶駆動部２２０は、１２０ＨｚのＬ信号及びＲ信号を、液晶パネル２３１が表示可能な形式に変換する。液晶駆動部２２０は、変換されたＬ信号及びＲ信号を液晶パネル２３１へ書き込む。
【００２５】
液晶パネル２３１は、入力されたＬ信号とＲ信号とに応じて、背面から入射する光を変調し、左眼で視聴されるように作成された左眼用映像と、右眼で視聴されるように作成された右眼用映像とを順次表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００２６】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００２７】
第１制御部２５０は、映像信号処理部２１０から出力された１２０Ｈｚの制御信号を基準に発光制御信号を出力する。バックライト２３２は、発光制御信号に基づき明滅する。
【００２８】
第２制御部２４０は、眼鏡装置３００の光学フィルタ部３１０を、左眼用映像及び右眼用映像の表示周期に合わせて制御する。第２制御部２４０は、左眼フィルタ３１１を制御するための左眼用のフィルタ制御部２４１（以下、Ｌフィルタ制御部２４１と称される）と、右眼フィルタ３１２を制御するための左眼用のフィルタ制御部２４２（以下、Ｒフィルタ制御部２４２と称される）とを備える。液晶パネル２３１が左眼用映像及び右眼用映像を、例えば、１２０Ｈｚで表示するとき、Ｌフィルタ制御部２４１は、左眼フィルタ３１１が６０Ｈｚの周期で左眼光量を調整する（増減させる）ように眼鏡装置３００を制御する。同様に、Ｒフィルタ制御部２４２は、右眼フィルタ３１２が６０Ｈｚの周期で右眼光量を調整する（増減させる）ように眼鏡装置３００を制御する。
【００２９】
図２に示される如く、本実施形態において、表示装置２００は、左眼用映像の表示に同期する第１同期信号を送信する第１送信部２４３と、右眼用映像の表示に同期する第２同期信号を送信する第２送信部２４４とを備える。また、眼鏡装置３００は、左眼フィルタ３１１と右眼フィルタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼フィルタ３１１を動作させる。また、眼鏡装置３００は、第２同期信号に基づき、右眼フィルタ３１２を動作させる。表示装置２００と眼鏡装置３００との間の同期信号の無線通信並びに眼鏡装置３００による同期信号の内部処理に対して、既知の他の通信技術並びに既知の他の信号処理技術が用いられてもよい。代替的に、表示装置２００と眼鏡装置３００との間の同期信号の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、同期信号を共通化して左眼用映像の表示と右眼用映像の表示とを信号の立ち上がりに交互に同期させてもよい。
【００３０】
Ｌフィルタ制御部２４１及びＲフィルタ制御部２４２は、映像信号処理部２１０からの制御信号を基準とし、左眼フィルタ３１１による左眼光量の増減周期の位相及び右眼フィルタ３１２による右眼光量の増減周期の位相を決定する。Ｌフィルタ制御部２４１及びＲフィルタ制御部２４２は、決定された位相に従い、第１同期信号及び第２同期信号を出力する。左眼フィルタ３１１及び右眼フィルタ３１２それぞれは、第１同期信号及び第２同期信号に基づき、左眼用映像の表示及び右眼用映像の表示に同期して、左眼光量及び右眼光量を増減させる。
【００３１】
第２制御部２４０は、液晶パネル２３１の応答特性並びに表示される左眼用映像及び右眼用映像との間のクロストーク（相互干渉）を考慮して、左眼フィルタ３１１及び右眼フィルタ３１２それぞれが左眼光量及び右眼光量を増大させている期間（以下、光量増大期間と称される）の長さと、光量増大期間のタイミング（位相）を決定する。本実施の形態において、光量増大期間の長さは、６０Ｈｚの左眼用映像の表示及び／又は６０Ｈｚの右眼用映像の表示の一周期期間（１６．７ｍｓｅｃ）の２５％（デューティ：２５％）とされている。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。本実施形態において、左眼光量に対する光量増大期間の長さは、左眼用映像が走査される左眼走査区間の半分の時間長さに設定されている。また、右眼光量に対する光量増大期間の長さは、右眼用映像が走査される左眼走査区間の半分の時間長さに設定されている。
【００３２】
映像信号処理部２１０の１２０Ｈｚの制御信号に基づき動作する第１制御部２５０は、左眼フィルタ３１１及び右眼フィルタ３１２による光量調整の動作に同期してバックライト２３２を発光させる発光制御信号を出力する。バックライト２３２は、発光制御信号に基づき、明滅する。本実施形態において、バックライト２３２は、第１制御部２５０の制御下で、左眼用映像が視聴される左眼視聴期間（即ち、第２制御部２４０の制御下で動作する左眼フィルタ３１１が左眼光量を増大させている期間）及び右眼用映像が視聴される右眼視聴期間（即ち、第２制御部２４０の制御下で動作する右眼フィルタ３１２が右眼光量を増大させている期間）中に発光する。左眼視聴期間及び右眼視聴期間中のバックライト２３２の発光期間は、以下の説明において、第１発光期間と称される。本実施形態において、バックライト２３２は更に、左眼視聴期間及び右眼視聴期間以外の期間（即ち、左眼用映像及び右眼用映像がともに視聴されない非視聴期間）において、第１制御部２５０の制御下で発光する。左眼視聴期間及び右眼視聴期間以外の期間におけるバックライト２３２の発光期間は、以下の説明において、第２発光期間と称される。第１制御部２５０は、第１発光期間と第２発光期間とを断続的に設定する。
【００３３】
（バックライトの制御）
図３は、映像視聴システム１００の制御を概略的に表す制御タイミングチャートである。図３のセクション（Ａ）は、液晶パネル２３１の映像の走査タイミングを概略的に示す。図３のセクション（Ｂ）は、バックライト２３２の点灯を示す。図３のセクション（Ｃ）は、眼鏡装置３００の左眼フィルタ３１１によって調整される左眼光量の変動並びに右眼フィルタ３１２によって調整される右眼光量の変動を概略的に表す。図１及び図３を参照しつつ、バックライト２３２の制御が説明される。
【００３４】
図３に示される如く、１６．７ｍ秒の１フィールドの期間は、左眼走査区間（以下、Ｌ区間と称される）と右眼走査区間（以下、Ｒ区間と称される）とに分割される。Ｌ区間において、左眼用映像が走査される。Ｒ区間において、右眼用映像が走査される。各フィールドのＬ区間において、左眼用映像信号が液晶パネル２３１に書き込まれる。また、各フィールドのＲ区間において、右眼用映像信号が液晶パネル２３１に書き込まれる。
【００３５】
図３のセクション（Ａ）に示される矢印Ａは、映像信号（Ｌ信号及びＲ信号）の書き込みを示す。また、図３のセクション（Ａ）に示される液晶パネル２３１において、映像の上部を表示する上部表示領域Ｄ１，映像の下部を表示する下部表示領域Ｄ３及び上部表示領域Ｄ１と下部表示領域Ｄ３との間の中間表示領域Ｄ２が示されている。中間表示領域Ｄ２は、上部表示領域Ｄ１で表示される映像部分と下部表示領域Ｄ３で表示される映像部分との間の映像部分を表示する。
【００３６】
図３のセクション（Ａ）の矢印Ａで示される如く、映像信号（Ｌ信号及びＲ信号）は、上部表示領域Ｄ１、中間表示領域Ｄ２及び下部表示領域Ｄ３の順で液晶パネル２３１に書き込まれる。本実施形態において、Ｌ信号及びＲ信号それぞれの書き込みは、１フィールド（１６．７ｍ秒）の約４分の１の期間で完了している。
【００３７】
図３のセクション（Ｂ）に示される「１５０」の数値は、バックライト２３２の相対発光輝度を表す。例えば、バックライト２３２の相対発光輝度の「１５０」との数値は、常時発光状態にあるバックライト２３２に適切な発光輝度として与えられる数値「１００」（例えば、図１３に示されるように）を基準とした相対的な発光輝度として理解されてもよい。
【００３８】
図３のセクション（Ｂ）に示される如く、バックライト２３２は、第１発光期間Ｅ１及び第２発光期間Ｅ２において発光する。断続的に設定された第１発光期間Ｅ１と第２発光期間Ｅ２との間には、バックライト２３２が消灯される消灯期間ＬＯが設けられる。第１発光期間Ｅ１のタイミング及び長さは、左眼フィルタ３１１又は右眼フィルタ３１２それぞれが左眼光量又は右眼光量を増大させる光量増大期間Ｉのタイミング及び長さと略合致する。第２発光期間Ｅ２は、左眼フィルタ３１１及び右眼フィルタ３１２がともに左眼及び右眼への透過光量を低減させている期間（即ち、光量増大期間Ｉ以外の期間）に設けられる。左眼フィルタ３１１及び右眼フィルタ３１２がともに左眼及び右眼への透過光量を低減させている期間は、左眼用映像及び右眼用映像が視聴されない非視聴期間となる。図３に示される如く、以下の説明において、第１発光期間Ｅ１中のバックライト２３２の発光は、メイン発光と称される。また、第２発光期間Ｅ２中のバックライト２３２の発光は、サブ発光と称される。
【００３９】
メイン発光及びサブ発光の役割が説明される。図３のセクション（Ｃ）に示される如く、光量増大期間Ｉは、Ｌ区間における左眼用映像の走査の完了及びＲ区間における右眼用映像の走査の完了と略同時に開始され、Ｌ区間とＲ区間との間の切り換えと略同時に終了する。この結果、Ｌ区間において、視聴者は左眼で左眼用映像を視聴し、Ｒ区間において、視聴者は右眼で右眼用映像を視聴する。左眼用映像と右眼用映像との間に設けられた視差によって、視聴者は脳内で左眼用映像及び右眼用映像中で表現されたオブジェクトを立体的に知覚する。したがって、左眼及び右眼いずれかへの透過光量が増大している光量増大期間Ｉにおけるバックライト２３２の発光は、映像の視聴に直接的な影響を与える。以下の説明において、第１発光期間Ｅ１中のバックライト２３２の発光はメイン発光と称される。
【００４０】
一方、左眼及び右眼への透過光量がともに低減されている期間（光量増大期間Ｉ以外の期間）におけるバックライト２３２からの光（即ち、第２発光期間Ｅ２におけるバックライト２３２の発光）は、左眼フィルタ３１１及び右眼フィルタ３１２によって遮断され、視聴者の左眼及び右眼に到達しない。したがって、第２発光期間Ｅ２におけるバックライト２３２の発光は、映像の視聴に直接的な影響を与えない。以下の説明において、第２発光期間Ｅ２中のバックライト２３２の発光はサブ発光と称される。本実施形態において、メイン発光及びサブ発光の発光輝度は、「１５０」の値の相対発光輝度（例えば、図１４に示される従来のバックライトに対して１．５倍の発光輝度）である。第２発光期間Ｅ２の長さ（即ち、サブ発光の期間の長さ）は、第１発光期間Ｅ１（即ち、メイン発光の期間の長さ）の約１／３の長さである。
【００４１】
液晶パネル２３１とクロストークとの間の関係が説明される。液晶パネル２３１は、映像を表示するための液晶層（図示せず）を備える。液晶駆動部２２０がＬ信号又はＲ信号を書き込むと、液晶パネル２３１の液晶層に含まれる液晶分子の配列方向が変化する。この結果、液晶パネル２３１の光透過率が変化する。バックライト２３２が液晶パネル２３１へ光を照射すると、液晶パネル２３１の光透過率の変化に応じて、液晶パネル２３１上の輝度が変化する。この結果、視聴者は、液晶駆動部２２０によって書き込まれたＬ信号に基づく左眼用映像又はＲ信号に基づく右眼用映像を視聴することができる。
【００４２】
液晶パネル２３１の液晶層が低温であるとき、液晶駆動部２２０の映像信号（Ｌ信号及び／又はＲ信号）の書き込みに対する液晶分子の応答速度は一般的に低くなる。したがって、映像信号が液晶パネル２３１に書き込まれてから液晶パネル２３１の光透過率が変化するまでの時間が長くなる。液晶パネル２３１の光透過率の変化（映像信号の書き込みに対応する光透過率の変化）が、光量増大期間Ｉの開始までに完了しないならば、映像信号の書き込み前の映像の一部が左眼フィルタ３１１又は右眼フィルタ３１２を透過し、左眼又は右眼に到達する。したがって、左眼用映像が右眼で視聴され、右眼用映像が左眼で視聴されることとなる。このような不具合は、クロストークと称される。
【００４３】
図３に示される如く、第１発光期間Ｅ１におけるバックライト２３２の発光輝度が比較的高く設定されることにより、液晶パネル２３１の温度が上昇する。また、第２発光期間Ｅ２が設けられることにより、液晶パネル２３１の温度低下が抑制される。したがって、液晶パネル２３１の液晶の応答遅れが好適に抑制される。かくして、本実施形態に係る映像視聴システム１００は、クロストークが低減された高品質の立体映像を提供することができる。
【００４４】
バックライト２３２に用いられるＬＥＤの発光輝度は、ＬＥＤへの駆動電流及び発光期間（発光デューティ）のうち少なくとも一方が変更されることにより調整されることが一般的である。本実施形態において、第１発光期間Ｅ１のタイミング並びに長さは、左眼用映像の表示及び右眼用映像の表示に対してそれぞれ規定された光量増大期間Ｉのタイミング並びに長さと略一致するように定められている。
【００４５】
本実施形態において、第１発光期間Ｅ１におけるＬＥＤの発光輝度は、ＬＥＤへの駆動電流を用いて調整される。ＬＥＤの駆動電流は、ＬＥＤの動作寿命に影響を与えない範囲、発光色の変化による表示色変化に大きな影響を与えない範囲及び／又は省電力の観点から許容できる発光効率の範囲で調整されることが好ましい。この結果、動作寿命の短縮、発光色（色度）の変化及び／又は発光効率の低下が好適に抑制される。
【００４６】
本実施形態において示された１．５倍の発光輝度の増加率に代えて、ＬＥＤ素子の種類や駆動電流と発光デューティとの組み合わせに応じて、バックライト２３２の発光輝度が他の増加率に変更されてもよい。バックライト２３２の発光輝度の増加率は、好ましくは、例えば、ＬＥＤ素子の寿命に応じて決定される。ＬＥＤ素子への駆動電流によるバックライト２３２の発光輝度の調整に代えて、ＬＥＤ素子をパルス幅変調（ＰＷＭ）駆動することにより、バックライト２３２の発光輝度の調整がなされてもよい。パルス幅変調（ＰＷＭ）駆動を用いて、バックライト２３２の発光輝度を低減させる制御が実行されてもよい。
【００４７】
本実施形態において、立体映像の視聴に直接的な影響を与える第１発光期間Ｅ１中のバックライト２３２の発光輝度は比較的高く設定されている。したがって、比較的明るく視聴しやすい立体映像が視聴者に提供されることとなる。
【００４８】
上述の如く、第２発光期間Ｅ２におけるサブ発光は、立体映像の視聴に直接的な影響をほとんど与えない（光学フィルタ部３１０が透過光を低減しているため）。したがって、立体映像の視聴に直接的な影響をほとんど与えることなく、第２発光期間Ｅ２におけるサブ発光により、液晶パネル２３１の温度が上昇される。第２発光期間Ｅ２におけるサブ発光に起因する液晶パネル２３１の温度上昇の結果、液晶パネル２３１の液晶分子の応答速度が向上される。かくして、左眼用映像及び／又は右眼用映像を表示するための液晶の応答が比較的短い時間で完了する。この結果、左眼用映像と右眼用映像との間のクロストークが好適に低減される。本実施形態において、サブ発光の輝度及び第２発光期間Ｅ２の長さは、光学フィルタ部３１０の動作条件に適合された上で、液晶パネル２３１の液晶の十分に高い応答速度が得られるように決定されている。
【００４９】
上述の如く、第２発光期間Ｅ２におけるサブ発光の輝度は、第１発光期間Ｅ１中のメイン発光の輝度と略等しい。また、第２発光期間Ｅ２の長さは、第１発光期間Ｅ１の長さの約３分の１である。代替的に、液晶パネル２３１の特性や液晶パネル２３１／眼鏡装置３００の動作条件に適合されるように決定された他のサブ発光の輝度や他の第２発光期間Ｅ２が用いられてもよい。上述の如く、第２発光期間Ｅ２におけるＬＥＤの発光輝度は、ＬＥＤの寿命や信頼性を考慮して決定されることが好ましい。第１発光期間Ｅ１中のメイン発光によって、液晶パネル２３１の十分な温度上昇が得られる場合には、第２発光期間Ｅ２におけるサブ発光は省略されてもよい。
【００５０】
＜第２実施形態＞
（映像視聴システムの構成）
図４は、第２実施形態に係る映像視聴システム１００Ａの構成を概略的に示すブロック図である。第２実施形態に係る映像視聴システム１００Ａと、第１実施形態に係る映像視聴システム１００との相違点が説明される。
【００５１】
映像視聴システム１００Ａは、第１実施形態と同様の眼鏡装置３００と、左眼用映像と右眼用映像とを交互に表示する表示装置２００Ａを備える。表示装置２００Ａは、映像信号処理部２１０、液晶駆動部２２０、表示部２３０Ａ、第１制御部２５０Ａ及び第２制御部２４０を備える。本実施形態において、表示部２３０Ａは、第１実施形態と同様のバックライト２３２及び液晶パネル２３１に加えて、温度検出部２３３を備える。
【００５２】
温度検出部２３３は、液晶パネル２３１の温度を検出するとともに、検出された温度に応じた温度信号を第１制御部２５０Ａへ出力する。第１制御部２５０Ａは、映像信号処理部２１０から出力される制御信号に加えて、温度検出部２３３からの温度信号に基づきバックライト２３２の発光期間の長さ及び発光期間のタイミングを調整するための発光制御信号をバックライト２３２に出力する。
【００５３】
図５は、映像視聴システム１００Ａの制御を概略的に表す制御タイミングチャートである。図５の左図は、液晶パネル２３１の温度が比較的高いときのバックライト２３２に対する制御を示す。図５の右図は、液晶パネル２３１の温度が低下したときのバックライト２３２に対する制御を示す。図５のセクション（Ａ）は、液晶パネル２３１の映像の走査タイミングを概略的に示す。図５のセクション（Ｂ）は、バックライト２３２の点灯を示す。図５のセクション（Ｃ）は、眼鏡装置３００の左眼フィルタ３１１によって調整される左眼光量の変動並びに右眼フィルタ３１２によって調整される右眼光量の変動を概略的に表す。図４及び図５を参照しつつ、バックライト２３２の制御に関する第１実施形態との相違点が説明される。
【００５４】
図５のセクション（Ａ）に示される液晶駆動部２２０による左眼用映像信号及び右眼用映像信号の液晶パネル２３１への書き込みは、第１実施形態と同様である。また、第２制御部２４０の制御に基づく光学フィルタ部３１０（左眼フィルタ３１１及び右眼フィルタ３１２）の動作も第１実施形態と同様である。図５のセクション（Ｂ）に示される如く、第１制御部２５０Ａは、検出された液晶パネル２３１の温度に応じて、第２発光期間Ｅ２の長さ（発光デューティ）を変化させる。尚、第１発光期間Ｅ１の長さ及びタイミングは、第１実施形態と同様である。また、第１実施形態と同様に、消灯期間ＬＯが第１発光期間Ｅ１と第２発光期間Ｅ２との間に設けられる。比較的高い液晶パネル２３１の温度条件（図５左図）から液晶パネル２３１の温度が低下したときの第１制御部２５０Ａによるバックライト２３２に対する制御の変化が以下に説明される。尚、液晶パネル２３１の温度の変動は、例えば、周囲温度の変化や表示装置２００Ａの継続稼働時間といった因子によって生ずる。
【００５５】
第１制御部２５０Ａの制御下で明滅するバックライト２３２の発光輝度は、第１発光期間Ｅ１及び第２発光期間Ｅ２の両期間において「１５０」の相対発光輝度である。本実施形態において、第１制御部２５０Ａは、液晶パネル２３１の温度変動に拘わらず、バックライト２３２の発光輝度を一定に保つ。
【００５６】
十分に高い液晶の応答速度が得られる温度条件（図５左図参照）において、第１制御部２５０Ａは、比較的短い第２発光期間Ｅ２を設けるようにバックライト２３２を制御する。液晶パネル２３１の温度が所定値以下となるとき、第１制御部２５０Ａは第２発光期間Ｅ２を長くするようにバックライト２３２を制御する（図５右図参照）。この結果、液晶パネル２３１は、クロストークをほとんど生じさせない程度に高い液晶の応答速度が得られるような温度に保たれることとなる。かくして、左眼用映像と右眼用映像との間のクロストークが好適に抑制される。
【００５７】
図６は、液晶パネル２３１の温度と、液晶パネル２３１の温度に対して設定される第２発光期間Ｅ２（サブ発光のデューティ）との間の関係を例示するグラフである。図６のグラフの横軸は、液晶パネル２３１の温度を示す。図６のグラフの縦軸は、１フィールド（６０Ｈｚ）の周期を１００％としたときの第２発光期間Ｅ２の割合をパーセンテージ（％）で表すサブ発光のデューティを示す。図４乃至図６を参照しつつ、第２発光期間Ｅ２の長さの調整制御が更に説明される。
【００５８】
図６中、立体映像を表示するのに適切な温度範囲は、「立体表示動作温度範囲」として示される。立体表示動作温度範囲の上限値は、「ＴＨ」で示されている。立体表示動作温度範囲の下限値は、「ＴＬ」で示されている。更に、液晶パネル２３１の液晶の温度に対する閾値は、「ＴＴＨ」で示されている。液晶パネル２３１の温度が、ＴＴＨ以上ＴＨ以下であるとき、液晶パネル２３１の温度は、液晶パネル２３１の液晶は、十分な応答速度を有し、液晶パネル２３１は、視聴者に、左眼用映像と右眼用映像との間のクロストークが十分に低減された映像（左眼用映像及び右眼用映像）を提供することができる。このとき、第１制御部２５０Ａは、サブ発光のデューティを０％にするようにバックライト２３２を制御する（即ち、第２発光期間Ｅ２を設けない）。
【００５９】
図６のグラフの縦軸に表されるＤＭＡＸは、最長の第２発光期間Ｅ２に対するサブ発光の期間のデューティを表す。即ち、サブ発光の期間のデューティの値がＤＭＡＸであるときの第２発光期間Ｅ２と第１発光期間Ｅ１との加算値は１フィールドに等しくなる。液晶パネル２３１の温度がＴＴＨを下回ると、第１制御部２５０Ａは、徐々にサブ発光の期間のデューティを長くするようにバックライト２３２を制御する（即ち、第２発光期間Ｅ２を長くする）。図６に示されるサブ発光の期間のデューティに対する制御では、液晶パネル２３１の温度がＴＬであるとき、サブ発光の期間のデューティの値がＤＭＡＸとなるように、第１制御部２５０Ａはバックライト２３２を制御する。
【００６０】
図６に示されるサブ発光の期間のデューティに対する制御によれば、表示装置２００Ａは、液晶パネル２３１の温度変化に起因する左眼用映像と右眼用映像との間のクロストークを比較的少ない電力消費で抑制することができる。したがって、表示装置２００Ａが設置された様々な環境或いは様々な動作条件に対応して、表示装置２００Ａは比較的少ない消費電力で、高い品質の立体映像を視聴者に提供することができる。
【００６１】
図７Ａ及び図７Ｂは、温度検出部２３３による液晶パネル２３１の温度の検出手法を例示する。図７Ａ及び図７Ｂは、液晶パネル２３１の表示領域を示す。図７Ａに示される液晶パネル２３１の表示領域は、液晶駆動部２２０による映像信号の書き込みの副走査方向（横方向）に概念的に分割されている。図７Ｂに示される液晶パネル２３１の表示領域は、行列状に概念的に分割されている。図４乃至図７Ｂを参照しつつ、温度検出部２３３による液晶パネル２３１の温度の検出が説明される。
【００６２】
図７Ａに示される液晶パネル２３１の表示領域は、領域Ａ１乃至領域Ａ５に概念的に分割されている。各領域Ａ１乃至Ａ５は、一体的に左眼用映像及び右眼用映像を表示するために用いられる。バックライト２３２は、各領域Ａ１乃至Ａ５それぞれに光を照射する照射領域（図示せず）を備える。温度検出部２３３は、領域Ａ１乃至領域Ａ５それぞれの温度を検出する。第１制御部２５０Ａは、各領域Ａ１乃至Ａ５それぞれに対応する照射領域における第２発光期間Ｅ２の長さを独立に制御する。例えば、温度検出部２３３が検出した領域Ａ３における温度が他の領域と比較して低いとき、第１制御部２５０Ａは領域Ａ３に対応する照射領域の第２発光期間Ｅ２の長さを他の領域よりも長くするようにバックライト２３２を制御する。
【００６３】
代替的に、温度検出部２３３は、領域Ａ１乃至Ａ５のうち１つの領域の温度を測定してもよい。或いは、温度検出部２３３は、領域Ａ１乃至Ａ５の温度の平均値を液晶パネル２３１の温度として出力してもよい。第１制御部２５０Ａは、相対的に下方に位置する領域（例えば、領域Ａ５や領域Ａ４）に対応する照射領域における第２発光期間Ｅ２の長さを相対的に上方に位置する領域（例えば、領域Ａ１や領域Ａ２）に対応する第２発光期間Ｅ２よりも長く設けるようにバックライト２３２を制御してもよい。例えば、第１制御部２５０Ａは、領域Ａ３に対応する照射領域のサブ発光期間のデューティに対して、領域Ａ４及び領域Ａ５に対応する照射領域のサブ発光期間のデューティを５％増とし、領域Ａ１及び領域Ａ５に対応する照射領域のサブ発光期間のデューティを５％減とするようにバックライト２３２を制御してもよい。かくして、熱対流の影響が考慮されつつ、第２発光期間Ｅ２の調整が実行される。
【００６４】
図７Ｂに示される如く、液晶パネル２３１の表示領域は、行列状に概念的に分割されてもよい。図７Ａに関連して説明されたように、バックライト２３２は、概念的に分割された液晶パネル２３１の各領域（図７Ｂにおいて、領域Ａ１１乃至Ａ５３が示されている）に対応する照射領域を備える。温度検出部２３３は、各領域Ａ１１乃至Ａ５３の温度を検出する。第１制御部２５０Ａは、検出された温度に応じて、各領域Ａ１１乃至Ａ５３に対応する照射領域における第２発光期間Ｅ２の長さを調整する。表示領域の概念的な分割数及びこれに対応する独立制御可能な照射領域の数の増大は、表示装置２００Ａの特性に応じたバックライト２３２の精密な制御を可能にする。例えば、領域Ａ４２の付近に比較的発熱量の大きな素子が存するとき、温度検出部２３３は当該素子に起因する液晶の温度上昇を検出する。この結果、第１制御部２５０Ａは、領域Ａ４２及び／又はその周囲の領域の第２発光期間Ｅ２を不必要に長く設定することなく、適切にバックライト２３２を制御することができる。かくして、表示装置２００Ａの省電力化が促される。
【００６５】
＜第３実施形態＞
図４に関連して説明された映像視聴システム１００Ａの構成は、第３実施形態に援用される。第３実施形態において、第１制御部２５０Ａは、第２発光期間Ｅ２の長さに代えて、液晶パネル２３１の温度に応じて、第２発光期間Ｅ２におけるバックライト２３２の輝度を調整する。
【００６６】
図８は、映像視聴システム１００Ａの制御を概略的に表す制御タイミングチャートである。図８の左図は、液晶パネル２３１の温度が比較的高いときのバックライト２３２に対する制御を示す。図８の右図は、液晶パネル２３１の温度が低下したときのバックライト２３２に対する制御を示す。図８のセクション（Ａ）は、液晶パネル２３１の映像の走査タイミングを概略的に示す。図８のセクション（Ｂ）は、バックライト２３２の点灯を示す。図８のセクション（Ｃ）は、眼鏡装置３００の左眼フィルタ３１１によって調整される左眼光量の変動並びに右眼フィルタ３１２によって調整される右眼光量の変動を概略的に表す。図４及び図８を参照しつつ、バックライト２３２の制御に関する第２実施形態との相違点が説明される。
【００６７】
図８のセクション（Ａ）に示される液晶駆動部２２０による左眼用映像信号及び右眼用映像信号の液晶パネル２３１への書き込みは、第２実施形態と同様である。また、第２制御部２４０の制御に基づく光学フィルタ部３１０（左眼フィルタ３１１及び右眼フィルタ３１２）の動作も第２実施形態と同様である。更に、第１発光期間Ｅ１の長さ及びタイミング並びに第１発光期間におけるバックライト２３２の輝度は、第２実施形態と同様である。また、第２実施形態と同様に、消灯期間ＬＯが第１発光期間Ｅ１と第２発光期間Ｅ２との間に設けられる。
【００６８】
図８のセクション（Ｂ）に示される如く、第１制御部２５０Ａは、温度検出部２３３によって検出された液晶パネル２３１の温度に応じて、第２発光期間Ｅ２におけるバックライト２３２の輝度を変化させる。比較的高い液晶パネル２３１の温度条件（図８左図）から液晶パネル２３１の温度が低下したときの第１制御部２５０Ａによるバックライト２３２に対する制御の変化が以下に説明される。
【００６９】
本実施形態において、第１制御部２５０Ａは、液晶パネル２３１の温度変動に拘わらず、第１発光期間Ｅ１及び第２発光期間Ｅ２の長さ及びタイミングを略一定に保つ。
【００７０】
十分に高い液晶の応答速度が得られる温度条件（図８左図参照）において、第１制御部２５０Ａは、第２発光期間Ｅ２において、比較的低い発光輝度（図８左図中、「５０」の相対発光輝度の値が示されている）でバックライト２３２を点灯させる。液晶パネル２３１の温度が所定値以下となるとき、第１制御部２５０Ａは第２発光期間Ｅ２におけるバックライト２３２の発光輝度を増大させる（図８右図中、「１５０」の相対発光輝度の値が示されている）。この結果、液晶パネル２３１の温度が増大し、液晶の応答速度が向上する。かくして、左眼用映像と右眼用映像との間のクロストークが好適に低減される。上述の如く、バックライト２３２に用いられるＬＥＤの発光輝度を調整するためのＬＥＤへの駆動電流は、ＬＥＤの寿命や信頼性を考慮して決定されることが好ましい。
【００７１】
図９は、液晶パネル２３１の温度と、液晶パネル２３１の温度に対して設定される第２発光期間Ｅ２におけるバックライト２３２の相対発光輝度との間の関係を例示するグラフである。図９のグラフの横軸は、液晶パネル２３１の温度を示す。図９のグラフの縦軸は、第２発光期間Ｅ２におけるバックライト２３２の相対発光輝度を示す。図４、図８及び図９を参照しつつ、第２発光期間Ｅ２におけるバックライト２３２の発光輝度の調整制御が更に説明される。
【００７２】
図９中、立体映像を表示するのに適切な温度範囲は、「立体表示動作温度範囲」として示される。立体表示動作温度範囲の上限値は、「ＴＨ」で示されている。立体表示動作温度範囲の下限値は、「ＴＬ」で示されている。更に、液晶パネル２３１の液晶の温度に対する閾値は、「ＴＴＨ」で示されている。液晶パネル２３１の温度が、ＴＴＨ以上ＴＨ以下であるとき、液晶パネル２３１の温度は、液晶パネル２３１の液晶は、十分な応答速度を有し、液晶パネル２３１は、視聴者に、左眼用映像と右眼用映像との間のクロストークが十分に低減された映像（左眼用映像及び右眼用映像）を提供することができる。このとき、第１制御部２５０Ａは、第２発光期間Ｅ２中のバックライト２３２の相対発光輝度が、例えば、「５０」の値となるようにバックライト２３２を制御する。尚、図９に示される相対発光輝度と液晶パネル２３１の温度との間の関係は、本実施形態の原理を何ら制限するものではない。例えば、第１制御部２５０Ａは、液晶パネル２３１の温度が十分高いとき、バックライト２３２を消灯させてもよい。したがって、第２実施形態と同様に、液晶パネル２３１の温度が、例えば、「ＴＴＨ」以上であるとき、第１制御部２５０Ａはバックライト２３２の相対発光輝度が「０」となるようにバックライト２３２を制御してもよい。
【００７３】
液晶パネル２３１の温度がＴＴＨを下回ると、第１制御部２５０Ａは、第２発光期間Ｅ２におけるバックライト２３２の相対発光輝度を徐々に増大させるようにバックライト２３２を制御する。図９に示される第２発光期間Ｅ２におけるバックライト２３２の発光輝度に対する制御では、液晶パネル２３１の温度がＴＬであるとき、第２発光期間Ｅ２におけるバックライト２３２の相対発光輝度が「１５０」となるように、第１制御部２５０Ａはバックライト２３２を制御する。
【００７４】
図９に示される第２発光期間Ｅ２におけるバックライト２３２の発光輝度に対する制御によれば、表示装置２００Ａは、液晶パネル２３１の温度変化に起因する左眼用映像と右眼用映像との間のクロストークを比較的少ない電力消費で抑制することができる。したがって、表示装置２００Ａが設置された様々な環境或いは様々な動作条件に対応して、表示装置２００Ａは比較的少ない消費電力で、高い品質の立体映像を視聴者に提供することができる。
【００７５】
図７Ａ及び図７Ｂに関連して説明された如く、本実施形態においても、温度検出部２３３は、液晶パネル２３１の表示領域に概念的に規定された領域Ａ１乃至領域Ａ５（図７Ａ参照）或いは領域Ａ１１乃至Ａ５３（図７Ｂ参照）ごとに温度を測定してもよい。また、第１制御部２５０Ａは、液晶パネル２３１の表示領域に概念的に規定された領域Ａ１乃至領域Ａ５（図７Ａ参照）或いは領域Ａ１１乃至Ａ５３（図７Ｂ参照）に対応する照射領域ごとに発光輝度を独立して調整してもよい。例えば、図７Ａに示される領域Ａ２が他の領域Ａ１，Ａ３乃至Ａ５と較べて低いとき、第１制御部２５０Ａは、領域Ａ２に光を照射するバックライト２３２の照射領域の発光輝度を、第２発光期間Ｅ２において、他の照射領域よりも高くしてもよい。代替的に、表示装置２００Ａ内の熱の移動を考慮して、第１制御部２５０Ａは、上方に位置する液晶パネル２３１の領域に光を照射する照射領域の発光輝度が、下方に位置する液晶パネル２３１の領域に光を照射する照射領域の発光輝度より高くなるようにバックライト２３２を制御してもよい。
【００７６】
第２実施形態及び第３実施形態において、温度検出部２３３として用いられる温度センサは液晶パネル２３１の温度を測定している。代替的に、温度検出部２３３として、表示装置２００Ａが設置された環境の温度を検知する温度センサが用いられてもよい。
【００７７】
第２実施形態において、第２発光期間Ｅ２の長さが単独で調整されている。第３実施形態において、第２発光期間Ｅ２におけるバックライト２３２の発光輝度が調整されている。代替的に、第１制御部２５０Ａは、第２発光期間Ｅ２の長さ及び第２発光期間Ｅ２におけるバックライト２３２の発光輝度の両方を液晶パネル２３１の温度に応じて調整してもよい。
【００７８】
図６に示された液晶パネル２３１と第２発光期間Ｅ２の長さとの間の関係及び図９に示された第２発光期間Ｅ２におけるバックライト２３２の相対発光輝度との間の関係は、例示的なものである。したがって、これらの関係に関する他の設定が用いられてもよい。
【００７９】
＜第４実施形態＞
図４に関連して説明された映像視聴システム１００Ａの構成は、第４実施形態に援用される。第４実施形態において、映像信号処理部２１０からの制御信号に基づき、第１制御部２５０Ａは、バックライト２３２の照射領域ごとに第１発光期間Ｅ１のタイミングを制御する。
【００８０】
図１０は、映像視聴システム１００Ａの制御を概略的に表す制御タイミングチャートである。図１０のセクション（Ａ）は、液晶パネル２３１の映像の走査タイミングを概略的に示す。図１０のセクション（Ｂ）は、バックライト２３２の点灯を示す。図１０のセクション（Ｃ）は、眼鏡装置３００の左眼フィルタ３１１によって調整される左眼光量の変動並びに右眼フィルタ３１２によって調整される右眼光量の変動を概略的に表す。図４及び図１０を参照しつつ、バックライト２３２の制御に関する第１実施形態との相違点が説明される。
【００８１】
図１０のセクション（Ａ）に示される液晶駆動部２２０による左眼用映像信号及び右眼用映像信号の液晶パネル２３１への書き込みは、第１実施形態と同様である。尚、液晶パネル２３１の表示領域は、説明の便宜上、領域Ｄ１（最も上方に位置する表示領域）乃至領域Ｄ８（最も下方に位置する表示領域）に概念的に分割して示されている。
【００８２】
図１０のセクション（Ｂ）に示されるバックライト２３２は、液晶駆動部２２０による映像（左眼用映像及び右眼用映像）の副走査方向に分割された８つの照射領域Ｌ１乃至Ｌ８を含む。照射領域Ｌ１乃至Ｌ８それぞれは、液晶パネル２３１の領域Ｄ１乃至Ｄ８に光を照射する。第１制御部２５０Ａは、各照射領域Ｌ１乃至Ｌ８におけるバックライト２３２の点灯タイミング及び点灯期間の長さ（第１発光期間Ｅ１（第１発光期間Ｅ１及び第２発光期間Ｅ２）を調整する。第１制御部２５０Ａは、各照射領域Ｌ１乃至Ｌ８において、バックライト２３２が映像の視聴に直接的な影響を与えるメイン発光を行う第１発光期間Ｅ１と、バックライト２３２が映像の視聴に直接的な影響を与えないサブ発光を行う第２発光期間Ｅ２とを設ける。また、各照射領域Ｌ１乃至Ｌ８において、第１発光期間Ｅ１と第２発光期間Ｅ２との間にバックライト２３２が消灯される消灯期間ＬＯが設けられる。
【００８３】
第１発光期間Ｅ１におけるバックライト２３２のメイン発光が説明される。図１０のセクション（Ａ）の矢印Ａで示される如く、映像信号（左眼用映像信号及び右眼用映像信号）は、液晶パネル２３１の上部に存する領域Ｄ１から書き込まれ、液晶パネル２３１の下部に存する領域Ｄ８において映像信号の書き込みが終了する。したがって、液晶パネル２３１の液晶層の応答は、領域Ｄ１から開始され、領域Ｄ８において完了する。かくして、液晶パネル２３１の上部で表示される映像ほど、左眼用映像から右眼用映像への切り替わり或いはその逆が早期に行われることとなる。
【００８４】
図１０のセクション（Ｃ）に示される如く、第２制御部２４０は、領域Ｄ１における液晶パネル２３１の液晶層の応答完了時刻から領域Ｄ８における液晶層の応答完了時刻までの間、左眼フィルタ３１１又は右眼フィルタ３１２を透過する光量を増大させるように眼鏡装置３００の光学フィルタ部３１０を制御する。したがって、光量増大期間Ｉは、Ｌ区間とＲ区間との間の切り替わり時刻を跨ぐ。光量増大期間Ｉの開始時刻は、Ｌ区間とＲ区間との間の切り替わり時刻前であり、光量増大期間Ｉの終了時刻は、Ｌ区間とＲ区間との間の切り替わり時刻後である。
【００８５】
液晶パネル２３１の領域Ｄ１において、映像信号の書き込みに応じた液晶の応答が完了すると、第１制御部２５０Ａはバックライト２３２を制御し、照射領域Ｌ１を点灯させる。その後、液晶パネル２３１の領域Ｄ１において次の映像信号の書き込みが開始される前に、第１制御部２５０Ａはバックライト２３２を制御し、照射領域Ｌ１を消灯させる。領域Ｄ１における液晶パネル２３１への映像信号の書き込み（或いは、液晶パネル２３１の液晶の応答の完了）に同期するように、バックライト２３２の対応する照射領域Ｌ１を発光／消灯させる結果、液晶パネル２３１の領域Ｄ１に表示された映像（左眼用映像又は右眼用映像）は、左眼又は右眼に到達する。上述の液晶パネル２３１の領域Ｄ１並びにバックライト２３２の照射領域Ｌ１に関連する説明は、領域Ｄ１及び照射領域Ｌ１の下方に位置する領域Ｄ２乃至Ｄ８並びに対応する照射領域Ｌ２乃至Ｌ８に対して、同様に適用される。したがって、バックライト２３２は、上部から下部に向けて順次点灯並びに消灯する。
【００８６】
上述の如く、各領域において、液晶パネル２３１の書き込み並びに当該書き込みに対応する液晶の応答が完了した後にバックライト２３２の各照射領域Ｌ１乃至Ｌ８が点灯することによって、視聴者は、左眼用映像と右眼用映像との間のクロストークが十分に低減された立体映像の視聴を享受することができる。このように各照射領域Ｌ１乃至Ｌ８の点灯・消灯タイミングが独立して制御されることにより、第１乃至第３実施形態（バックライト２３２全体が一斉に発光する）と較べて全体として長い第１発光期間Ｅ１が設定されることとなる。この結果、視聴者は比較的明るい立体映像の視聴を享受することができる。図１０に関連して説明されたバックライト２３２の点灯方式（各照射領域Ｌ１乃至Ｌ８が順次点灯及び消灯する方式）は、バックライトスキャン（或いは、バックライトスクロール）と称される。左眼用映像信号の書き込みに対応するバックライト２３２のバックライトスキャン制御及び右眼用映像信号の書き込みに対応するバックライト２３２のバックライトスキャン制御は互いに略等しい様式で実行されてもよい。このようにして、左眼用映像及び右眼用映像が、バックライトスキャンの下、液晶パネル２３１上に映し出されることによって、視聴者は、比較的明るく、且つ、比較的クロストークの少ない高品位の立体映像を視聴することができる。
【００８７】
尚、図１０のセクション（Ｃ）において、光量増大期間Ｉは、バックライトスキャンの開始時点（即ち、照射領域Ｌ１における第１発光期間Ｅ１の開始時刻）からバックライトスキャンの終了時点（即ち、照射領域Ｌ８における第１発光期間Ｅ１の終了時刻）までの期間を網羅するように設定されている。
【００８８】
第２発光期間Ｅ２におけるバックライト２３２のサブ発光が説明される。図１０に示される如く、第２発光期間Ｅ２は、光量増大期間Ｉ以外の期間（即ち、左眼フィルタ３１１及び右眼フィルタ３１２が、液晶パネル２３１に表示される映像からの光の透過光量を低減させている期間）に設けられる。第１乃至第３実施形態と同様に、第２発光期間Ｅ２が設けられることにより、液晶パネル２３１の温度低下が好適に抑制される。この結果、左眼用映像と右眼用映像との間のクロストークが好適に抑制される。
【００８９】
本実施形態において、第２発光期間Ｅ２は、光量増大期間Ｉ以外の期間を略網羅するようにバックライト２３２は点灯される。代替的に、第２発光期間Ｅ２の長さ（即ち、サブ発光のデューティ）は、表示装置２００Ａの周囲温度に拘わらず、十分な液晶の応答特性が得られるような固定値として決定されてもよい。同様に、第２発光期間Ｅ２におけるバックライト２３２の発光輝度も、表示装置２００Ａの周囲温度に拘わらず、十分な液晶の応答特性が得られるような固定値として決定されてもよい。このように、第２発光期間Ｅ２の長さ及び／又は第２発光期間Ｅ２におけるバックライト２３２の発光輝度の大きさが固定値として決定されるならば、温度検出部２３３は省略されてもよい。
【００９０】
代替的に、温度検出部２３３が検出した液晶パネル２３１の温度或いは表示装置２００Ａの周囲の温度に応じて、第２発光期間Ｅ２の長さ及び／又は第２発光期間Ｅ２におけるバックライト２３２の発光輝度が調整されてもよい。このように液晶パネル２３１の温度或いは表示装置２００Ａの周囲の温度に応じて、第２発光期間Ｅ２の長さ及び／又は第２発光期間Ｅ２におけるバックライト２３２の発光輝度が調整されることにより、比較的少ない消費電力を用いて、左眼用映像と右眼用映像との間のクロストークが抑制されることとなる。
【００９１】
＜第５実施形態＞
図４に関連して説明された映像視聴システム１００Ａの構成は、第５実施形態に援用される。第５実施形態において、映像信号処理部２１０からの制御信号に基づき、第１制御部２５０Ａは、バックライト２３２の照射領域ごとに第１発光期間Ｅ１のタイミングに加えて、第２発光期間Ｅ２のタイミング及び長さを調整する。
【００９２】
図１１は、映像視聴システム１００Ａの制御を概略的に表す制御タイミングチャートである。図１１のセクション（Ａ）は、液晶パネル２３１の映像の走査タイミングを概略的に示す。図１１のセクション（Ｂ）は、バックライト２３２の点灯を示す。図１１のセクション（Ｃ）は、眼鏡装置３００の左眼フィルタ３１１によって調整される左眼光量の変動並びに右眼フィルタ３１２によって調整される右眼光量の変動を概略的に表す。図４及び図１１を参照しつつ、バックライト２３２の制御に関する第４実施形態との相違点が説明される。
【００９３】
図１１のセクション（Ａ）に示される液晶駆動部２２０による左眼用映像信号及び右眼用映像信号の液晶パネル２３１への書き込みは、第４実施形態と同様である。また、第４実施形態と同様に、液晶パネル２３１の表示領域は、説明の便宜上、領域Ｄ１（最も上方に位置する表示領域）乃至領域Ｄ８（最も下方に位置する表示領域）に概念的に分割して示されている。領域Ｄ１乃至領域Ｄ８と、液晶パネル２３１の照射領域Ｌ１乃至Ｌ８の対応関係は、第４実施形態と同様である。加えて、第４実施形態と同様に、第２制御部２４０は、領域Ｄ１における液晶パネル２３１の液晶層の応答完了時刻から領域Ｄ８における液晶層の応答完了時刻までの間、左眼フィルタ３１１又は右眼フィルタ３１２を透過する光量を増大させるように眼鏡装置３００の光学フィルタ部３１０を制御する。したがって、光量増大期間Ｉは、Ｌ区間とＲ区間との間の切り替わり時刻を跨ぐ。光量増大期間Ｉの開始時刻は、Ｌ区間とＲ区間との間の切り替わり時刻前であり、光量増大期間Ｉの終了時刻は、Ｌ区間とＲ区間との間の切り替わり時刻後である。また、第１発光期間Ｅ１におけるバックライト２３２の点灯は、第４実施形態で説明されたバックライトスキャンに従う。
【００９４】
表示装置２００Ａは、一般的に、略垂直に立設される。したがって、映像（左眼用映像及び右眼用映像）の上部を表示する領域Ｄ１は、物理的に、上方に位置することが多い。また、映像の下部を表示する領域Ｄ８は、物理的に、下方に位置することが多い。このとき、液晶パネル２３１及びバックライト２３２の動作に起因する熱は、対流の影響により、上方に向かうので、液晶パネル２３１の上方に存する表示領域ほど、高い温度となりやすい。逆に、液晶パネル２３１の下方に存する表示領域ほど、低い温度となりやすい。
【００９５】
図１１のセクション（Ｃ）に示される如く、第１制御部２５０Ａは、バックライト２３２のサブ発光のデューティ（第２発光期間Ｅ２の長さ）を下方の照射領域ほど大きくしている（即ち、「照射領域Ｌ１におけるサブ発光のデューティ」＜「照射領域Ｌ２におけるサブ発光のデューティ」＜・・・＜「照射領域Ｌ８におけるサブ発光のデューティ」）。この結果、バックライト２３２の発熱量は、下方の照射領域ほど大きくなる。この結果、液晶パネル２３１の表示領域は、均一な温度分布に近づけられる。かくして、液晶パネル２３１全体的にクロストークの低減が図られる。
【００９６】
上述の如く、本実施形態では、第１制御部２５０Ａは、第２発光期間Ｅ２の長さを照射領域Ｌ１乃至Ｌ８ごとに調整している。代替的に、第１制御部２５０Ａは、第２発光期間Ｅ２におけるバックライト２３２の発光輝度を照射領域Ｌ１乃至Ｌ８ごとに調整してもよい。例えば、第１制御部２５０Ａは、「照射領域Ｌ１におけるサブ発光輝度」＜「照射領域Ｌ２におけるサブ発光輝度」＜・・・＜「照射領域Ｌ８におけるサブ発光輝度」となるように、バックライト２３２を制御してもよい。
【００９７】
上述の如く、本実施形態では、「照射領域Ｌ１におけるサブ発光のデューティ」＜「照射領域Ｌ２におけるサブ発光のデューティ」＜・・・＜「照射領域Ｌ８におけるサブ発光のデューティ」となるように、第１制御部２５０Ａはバックライト２３２を制御する。代替的に、第１制御部２５０Ａは、表示装置２００Ａが設置された環境及び／又は表示装置２００Ａの特性に応じて定まる液晶パネル２３１の表示領域の温度分布特性に応じて、バックライト２３２を制御してもよい。例えば、液晶パネル２３１の表示領域の中央部分が比較的暖まりやすい特性を有する表示装置２００Ａの場合、第１制御部２５０Ａは液晶パネル２３１の周縁近傍を暖めるようにバックライト２３２を制御してもよい。
【００９８】
温度検出部２３３は、液晶パネル２３１の一部の温度を検出してもよい。代替的に、温度検出部２３３は、液晶パネル２３１の各領域Ｄ１乃至Ｄ８或いはこれら各領域の一部の温度を検出してもよい。第１制御部２５０Ａは、各領域Ｄ１乃至Ｄ８においてそれぞれ検出された温度に基づき、サブ発光のデューティ（第２発光期間Ｅ２の長さ）や第２発光期間Ｅ２における各照射領域Ｌ１乃至Ｌ８の発光輝度を調整してもよい。このような制御によっても、比較的一様な液晶パネル２３１の温度分布が得られ、局所的なクロストークの発生が好適に抑制される。
【００９９】
第１制御部２５０Ａは、各照射領域Ｌ１乃至Ｌ８における第２発光期間Ｅ２の長さ及び第２発光期間Ｅ２におけるバックライト２３２の発光輝度のうち少なくとも一方のパラメータを調整可能であることが好ましい。この結果、比較的一様な液晶パネル２３１の温度分布が得られ、局所的なクロストークの発生が好適に抑制される。
【０１００】
上述の実施形態を通じて説明された原理が逸脱されない限り、当業者が想到することができる様々な変更がなされてもよい。また、上述の様々な実施形態に示される構成要素が組み合わされた形態は、上述された説明の要旨の範囲内に含まれる。
【０１０１】
上述された実施形態は、すべての点で例示的なものであって制限的なものではないと考えられるべきである。上述された説明の要旨の範囲は、詳述された実施形態ではなく、特許請求の範囲によって示され、特許請求の範囲と均等の意味及び範囲内でのすべての変更が含まれることが意図される。
【０１０２】
上述された実施形態は、以下の構成を主に備える。以下の構成を備える表示装置及び映像視聴システムは、左眼用映像と右眼用映像との間のクロストークを抑制することができる。
【０１０３】
上述の実施形態の一の局面に係る表示装置は、左眼で視聴されるように作成された左眼用映像と右眼で視聴されるように作成された右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【０１０４】
上記構成によれば、液晶駆動部によって書き込まれた映像信号に応じて、液晶パネルは、左眼で視聴されるように作成された左眼用映像と右眼で視聴されるように作成された右眼用映像とを時間的に交互に切り換えて表示する。左眼用映像は、左眼視聴期間において左眼で視聴される。右眼用映像は、右眼用視聴期間において右眼で視聴される。この結果、視聴者は、脳内で視覚的な立体像を生成することができる。バックライトは、制御部の制御下で、液晶パネルに光を照射する。バックライトが発光する第１発光期間は、左眼用映像が左眼で視聴される左眼視聴期間及び右眼用映像が右眼で視聴される右眼視聴期間それぞれに設けられる。したがって、視聴者は、左眼視聴期間及び右眼視聴期間において、左眼用映像及び右眼用映像それぞれを好適に視聴することができる。制御部は更に、左眼用映像及び右眼用映像がともに視聴されない非視聴期間において、バックライトを発光させる第２発光期間を設ける。第１発光期間と第２発光期間との間には、バックライトが消灯される消灯期間が設けられる。かくして、バックライトによる電力消費及びバックライトの温度低下が好適に抑制される。バックライトの温度低下が抑制されるので、液晶パネルの応答速度の低下が好適に抑制される。したがって、左眼用映像と右眼用映像との間のクロストークの発生が適切に抑制される。
【０１０５】
上記構成において、前記液晶パネルの温度を検出する温度検出部を更に備え、前記制御部は、前記液晶パネルの前記温度に応じて、前記第２発光期間の長さを調整することが好ましい。
【０１０６】
上記構成によれば、温度検出部は、液晶パネルの温度を検出する。制御部は、液晶パネルの温度に応じて、第２発光期間の長さを調整する。したがって、バックライトの温度が適切に制御されることとなる。かくして、左眼用映像と右眼用映像との間のクロストークの発生が適切に抑制される。
【０１０７】
上記構成において、前記液晶パネルの温度を検出する温度検出部を更に備え、前記制御部は、前記液晶パネルの前記温度に応じて、前記第２発光期間における前記バックライトの発光輝度を調整することが好ましい。
【０１０８】
上記構成によれば、温度検出部は、液晶パネルの温度を検出する。制御部は、液晶パネルの温度に応じて、第２発光期間におけるバックライトの発光輝度を調整する。したがって、バックライトの温度が適切に制御されることとなる。かくして、左眼用映像と右眼用映像との間のクロストークの発生が適切に抑制される。
【０１０９】
上記構成において、前記バックライトは、互いに異なる前記液晶パネルの領域に前記光を照射する第１照射領域及び第２照射領域を含み、前記制御部は、前記第１照射領域における前記第２発光期間の長さと、前記第２照射領域における前記第２発光期間の長さとを独立して制御することが好ましい。
【０１１０】
上記構成によれば、バックライトは、第１照射領域と第２照射領域とを含む。第１照射領域及び第２照射領域は互いに異なる液晶パネルの領域に光を照射する。制御部は、第１照射領域における第２発光期間の長さと、第２照射領域における第２発光期間の長さとを独立して制御する。かくして、液晶パネルの温度のばらつきに対応して、第２発光期間の長さの制御が行われる。したがって、左眼用映像と右眼用映像との間のクロストークの発生が適切に抑制される。
【０１１１】
上記構成において、前記バックライトは、互いに異なる前記液晶パネルの領域に前記光を照射する第１照射領域及び第２照射領域を含み、前記制御部は、前記第１照射領域の発光輝度と、前記第２照射領域の発光輝度とを独立して制御することが好ましい。
【０１１２】
上記構成によれば、バックライトは、第１照射領域と第２照射領域とを含む。第１照射領域及び第２照射領域は互いに異なる液晶パネルの領域に光を照射する。制御部は、第１照射領域の発光輝度と、第２照射領域の発光輝度とを独立して制御する。かくして、液晶パネルの温度のばらつきに対応して、発光輝度の制御が行われる。したがって、左眼用映像と右眼用映像との間のクロストークの発生が適切に抑制される。
【０１１３】
上記構成において、前記液晶パネルは、前記第１照射領域によって光が照射される第１表示領域と、前記第２照射領域によって光が照射される第２表示領域とを含み、前記温度検出部は、前記第１表示領域及び前記第２表示領域の温度を検出し、前記第１表示領域の温度が前記第２表示領域の温度より低いとき、前記制御部は、前記第１照射領域における前記第２発光期間を第２照射領域における前記第２発光期間より長くし、前記第２表示領域の温度が前記第１表示領域の温度より低いとき、前記制御部は、前記第２照射領域における前記第２発光期間を第１照射領域における前記第２発光期間より長くすることが好ましい。
【０１１４】
上記構成によれば、温度検出部は、第１照射領域によって光が照射される第１表示領域及び第２照射領域によって光が照射される第２表示領域の温度を検出する。第１表示領域の温度が第２表示領域の温度より低いとき、制御部は、第１照射領域における第２発光期間を第２照射領域における第２発光期間より長くする。また、第２表示領域の温度が第１表示領域の温度より低いとき、制御部は、第２照射領域における第２発光期間を第１照射領域における第２発光期間より長くする。したがって、温度が低下している領域の温度が適切に上昇される。かくして、左眼用映像と右眼用映像との間のクロストークの発生が適切に抑制される。また、第２発光期間の長さが不必要に増大されないので、バックライトの電力消費が抑制される。
【０１１５】
上記構成において、前記液晶パネルは、前記第１照射領域によって光が照射される第１表示領域と、前記第２照射領域によって光が照射される第２表示領域とを含み、前記温度検出部は、前記第１表示領域及び前記第２表示領域の温度を検出し、前記第１表示領域の温度が前記第２表示領域の温度より低いとき、前記制御部は、前記第１照射領域の発光輝度を前記第２照射領域の発光輝度よりも高くし、前記第２表示領域の温度が前記第１表示領域の温度より低いとき、前記制御部は、前記第２照射領域の発光輝度を前記第１照射領域の発光輝度よりも高くすることが好ましい。
【０１１６】
上記構成によれば、温度検出部は、第１照射領域によって光が照射される第１表示領域及び第２照射領域によって光が照射される第２表示領域の温度を検出する。第１表示領域の温度が第２表示領域の温度より低いとき、制御部は、第１照射領域の発光輝度を第２照射領域の発光輝度よりも高くする。また、第２表示領域の温度が第１表示領域の温度より低いとき、制御部は、第２照射領域の発光輝度を第１照射領域の発光輝度よりも高くする。したがって、温度が低下している領域の温度が適切に上昇される。かくして、左眼用映像と右眼用映像との間のクロストークの発生が適切に抑制される。また、バックライトの発光輝度が不必要に増大されないので、バックライトの電力消費が抑制される。
【０１１７】
上記構成において、前記第１照射領域は、前記第２照射領域よりも上方に形成され、前記制御部は、前記第２照射領域における前記第２発光期間を第１照射領域における前記第２発光期間より長くすることが好ましい。
【０１１８】
上記構成によれば、熱対流により、比較的、温度上昇がしやすい上方の領域に光を照射する第１照射領域の第２発光期間よりも、比較的低温になりやすい下方の領域に光を照射する第２照射領域の第２発光期間が長くされる。したがって、温度が低下しやすい領域の温度が適切に上昇される。かくして、左眼用映像と右眼用映像との間のクロストークの発生が適切に抑制される。また、第２発光輝度の長さが不必要に増大されないので、バックライトの電力消費が抑制される。
【０１１９】
上記構成において、前記第１照射領域は、前記第２照射領域よりも上方に形成され、前記制御部は、前記第２照射領域の発光輝度を前記第１照射領域の発光輝度よりも高くすることを特徴とする。
【０１２０】
上記構成によれば、熱対流により、比較的、温度上昇がしやすい上方の領域に光を照射する第１照射領域の発光輝度よりも、比較的低温になりやすい下方の領域に光を照射する第２照射領域の発光輝度が長くされる。したがって、温度が低下しやすい領域の温度が適切に上昇される。かくして、左眼用映像と右眼用映像との間のクロストークの発生が適切に抑制される。また、バックライトの発光輝度が不必要に増大されないので、バックライトの電力消費が抑制される。
【０１２１】
上記構成において、前記第１表示領域及び前記第２表示領域は、前記液晶駆動部による前記映像信号の書き込みの副走査方向に分割され、前記制御部は、前記第１表示領域への前記映像信号の書き込みに同期して、前記第１照射領域を発光させるとともに前記第２表示領域への前記映像信号の書き込みに同期して前記第２照射領域を発光させるように前記第１発光期間を設けることが好ましい。
【０１２２】
上記構成によれば、第１表示領域及び第２表示領域は、液晶駆動部による映像信号の書き込みの副走査方向に分割される。制御部が、第１表示領域への映像信号の書き込みに同期して、第１照射領域を発光させるとともに第２表示領域への映像信号の書き込みに同期して第２照射領域を発光させるように第１発光期間を設けるので、比較的長い第１発光期間が設定される。かくして、視聴者は比較的高い明度の映像を視聴することができる。
【０１２３】
上記構成において、前記制御部は、前記左眼へ到達する光の量を調整する左眼フィルタと、前記右眼へ到達する光の量を調整する右眼フィルタと、を含む眼鏡装置を制御し、前記左眼フィルタは、前記制御部の制御下で、前記左眼視聴期間において前記左眼へ到達する前記光の量を増大させ、前記右眼フィルタは、前記制御部の制御下で、前記右眼視聴期間において前記右眼へ到達する前記光の量を増大させることが好ましい。
【０１２４】
上記構成によれば、制御部は、左眼へ到達する光の量を調整する左眼フィルタと、右眼へ到達する光の量を調整する右眼フィルタと、を含む眼鏡装置を制御する。制御部は、左眼視聴期間において、左眼へ到達する前記光の量を増大させるとともに右眼視聴期間において、右眼へ到達する光の量を増大させる。かくして、視聴者は、左眼視聴期間において左眼で左眼用映像を視聴し、右眼視聴期間において右眼で右眼用映像を視聴することができる。
【０１２５】
上述の実施形態の他の局面に係る映像視聴システムは、左眼用映像と右眼用映像とを時間的に切り換えて表示する表示装置と、前記左眼へ到達する光の量を調整する左眼フィルタと、前記右眼へ到達する光の量を調整する右眼フィルタと、を含む眼鏡装置と、を備え、前記表示装置は、左眼用映像と右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、前記左眼フィルタは、前記制御部の制御下で、前記左眼視聴期間において、前記左眼へ到達する前記光の量を増大させ、前記右眼フィルタは、前記制御部の制御下で、前記右眼視聴期間において、前記右眼へ到達する前記光の量を増大させ、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【０１２６】
上記構成によれば、液晶駆動部によって書き込まれた映像信号に応じて、液晶パネルは、左眼で視聴されるように作成された左眼用映像と右眼で視聴されるように作成された右眼用映像とを時間的に交互に切り換えて表示する。眼鏡装置の左眼フィルタは、左眼視聴期間において、左眼へ到達する光の量を増大させる。したがって、視聴者は、左眼視聴期間において左眼で左眼用映像を視聴することができる。眼鏡装置の右眼フィルタは、右眼視聴期間において、右眼へ到達する光の量を増大させる。したがって、視聴者は、右眼視聴期間において右眼で右眼用映像を視聴することができる。この結果、視聴者は、脳内で視覚的な立体像を生成することができる。バックライトは、制御部の制御下で、液晶パネルに光を照射する。バックライトが発光する第１発光期間は、左眼視聴期間及び右眼視聴期間中に設けられる。したがって、視聴者は、左眼視聴期間及び右眼視聴期間において、左眼用映像及び右眼用映像それぞれを好適に視聴することができる。制御部は更に、左眼用映像及び右眼用映像がともに視聴されない非視聴期間において、バックライトを発光させる第２発光期間を設ける。第１発光期間及び第２発光期間は断続的に設けられる。かくして、バックライトによる電力消費及びバックライトの温度低下が好適に抑制される。バックライトの温度低下が抑制されるので、液晶パネルの応答速度の低下が好適に抑制される。したがって、左眼用映像と右眼用映像との間のクロストークの発生が適切に抑制される。
【産業上の利用可能性】
【０１２７】
本実施形態の原理は、クロストークの低減が可能な表示装置及び映像視聴システムに好適に適用される。
【図１】
2011142141.tif 000003
【図２】
2011142141.tif 000004
【図３】
2011142141.tif 000005
【図４】
2011142141.tif 000006
【図５】
2011142141.tif 000007
【図６】
2011142141.tif 000008
【図７Ａ】
2011142141.tif 000009
【図７Ｂ】
2011142141.tif 000010
【図８】
2011142141.tif 000011
【図９】
2011142141.tif 000012
【図１０】
2011142141.tif 000013
【図１１】
2011142141.tif 000014
【図１２】
2011142141.tif 000015
【図１３】
2011142141.tif 000016
【図１４】
2011142141.tif 000017
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
左眼で視聴されるように作成された左眼用映像と右眼で視聴されるように作成された右眼用映像とを時間的に交互に切り換えて表示する液晶パネルと、
前記左眼用映像を作成するための左眼用映像信号と、前記右眼用映像を作成するための右眼用映像信号と、を含む映像信号を前記液晶パネルに書き込む液晶駆動部と、
前記液晶パネルに光を照射するバックライトと、
前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、
該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする表示装置。
【請求項２】
前記液晶パネルの温度を検出する温度検出部を更に備え、
前記制御部は、前記液晶パネルの前記温度に応じて、前記第２発光期間の長さを調整することを特徴とする請求項１記載の表示装置。
【請求項３】
前記液晶パネルの温度を検出する温度検出部を更に備え、
前記制御部は、前記液晶パネルの前記温度に応じて、前記第２発光期間における前記バックライトの発光輝度を調整することを特徴とする請求項１に記載の表示装置。
【請求項４】
前記バックライトは、互いに異なる前記液晶パネルの領域に前記光を照射する第１照射領域及び第２照射領域を含み、
前記制御部は、前記第１照射領域における前記第２発光期間の長さと、前記第２照射領域における前記第２発光期間の長さとを独立して制御することを特徴とする請求項２に記載の表示装置。
【請求項５】
前記バックライトは、互いに異なる前記液晶パネルの領域に前記光を照射する第１照射領域及び第２照射領域を含み、
前記制御部は、前記第１照射領域の発光輝度と、前記第２照射領域の発光輝度とを独立して制御することを特徴とする請求項３に記載の表示装置。
【請求項６】
前記液晶パネルは、前記第１照射領域によって光が照射される第１表示領域と、前記第２照射領域によって光が照射される第２表示領域とを含み、
前記温度検出部は、前記第１表示領域及び前記第２表示領域の温度を検出し、
前記第１表示領域の温度が前記第２表示領域の温度より低いとき、前記制御部は、前記第１照射領域における前記第２発光期間を第２照射領域における前記第２発光期間より長くし、
前記第２表示領域の温度が前記第１表示領域の温度より低いとき、前記制御部は、前記第２照射領域における前記第２発光期間を第１照射領域における前記第２発光期間より長くすることを特徴とする請求項４に記載の表示装置。
【請求項７】
前記液晶パネルは、前記第１照射領域によって光が照射される第１表示領域と、前記第２照射領域によって光が照射される第２表示領域とを含み、
前記温度検出部は、前記第１表示領域及び前記第２表示領域の温度を検出し、
前記第１表示領域の温度が前記第２表示領域の温度より低いとき、前記制御部は、前記第１照射領域の発光輝度を前記第２照射領域の発光輝度よりも高くし、
前記第２表示領域の温度が前記第１表示領域の温度より低いとき、前記制御部は、前記第２照射領域の発光輝度を前記第１照射領域の発光輝度よりも高くすることを特徴とする請求項５に記載の表示装置。
【請求項８】
前記第１照射領域は、前記第２照射領域よりも上方に形成され、
前記制御部は、前記第２照射領域における前記第２発光期間を第１照射領域における前記第２発光期間より長くすることを特徴とする請求項４に記載の表示装置。
【請求項９】
前記第１照射領域は、前記第２照射領域よりも上方に形成され、
前記制御部は、前記第２照射領域の発光輝度を前記第１照射領域の発光輝度よりも高くすることを特徴とする請求項５に記載の表示装置。
【請求項１０】
前記第１表示領域及び前記第２表示領域は、前記液晶駆動部による前記映像信号の書き込みの副走査方向に分割され、
前記制御部は、前記第１表示領域への前記映像信号の書き込みに同期して、前記第１照射領域を発光させるとともに前記第２表示領域への前記映像信号の書き込みに同期して前記第２照射領域を発光させるように前記第１発光期間を設けることを特徴とする請求項６に記載の表示装置。
【請求項１１】
前記制御部は、前記左眼へ到達する光の量を調整する左眼フィルタと、前記右眼へ到達する光の量を調整する右眼フィルタと、を含む眼鏡装置を制御し、
前記左眼フィルタは、前記制御部の制御下で、前記左眼視聴期間において前記左眼へ到達する前記光の量を増大させ、
前記右眼フィルタは、前記制御部の制御下で、前記右眼視聴期間において前記右眼へ到達する前記光の量を増大させることを特徴とする請求項１に記載の表示装置。
【請求項１２】
左眼用映像と右眼用映像とを時間的に切り換えて表示する表示装置と、
前記左眼へ到達する光の量を調整する左眼フィルタと、前記右眼へ到達する光の量を調整する右眼フィルタと、を含む眼鏡装置と、を備え、
前記表示装置は、
左眼用映像と右眼用映像とを時間的に交互に切り換えて表示する液晶パネルと、
前記左眼用映像を作成するための左眼用映像信号と、前記右眼用映像を作成するための右眼用映像信号と、を含む映像信号を前記液晶パネルに書き込む液晶駆動部と、
該液晶パネルに光を照射するバックライトと、
前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、
前記左眼フィルタは、前記制御部の制御下で、前記左眼視聴期間において、前記左眼へ到達する前記光の量を増大させ、
前記右眼フィルタは、前記制御部の制御下で、前記右眼視聴期間において、前記右眼へ到達する前記光の量を増大させ、
該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする映像視聴システム。
【手続補正２】
【補正対象書類名】明細書
【補正対象項目名】全文
【補正方法】変更
【補正の内容】
【発明の詳細な説明】
【技術分野】
【０００１】
本発明は、映像を立体的に知覚させるための映像を表示する表示装置及び該表示装置が表示する映像を視聴するための映像視聴システムに関する。
【背景技術】
【０００２】
映像を立体的に知覚させるための映像を表示する表示装置は、左眼で視聴されるための左眼用映像と、右眼で視聴されるための右眼用映像とを所定周期（例えば、フィールド周期）で交互に表示する。表示される左眼用映像及び右眼用映像は、視差の分だけ異なる内容を含む。視聴者は、左眼用映像及び右眼用映像の表示周期に同期して駆動される液晶シャッタを備える眼鏡装置を通じて、左眼用映像及び右眼用映像を視聴する（例えば、特許文献１及び特許文献２参照）。この結果、視聴者は、左眼用映像及び右眼用映像によって表現されたオブジェクトを立体的に知覚する。
【０００３】
図１２は、従来の映像視聴システムのブロック図である。尚、図１２に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０Ｈｚで左眼用映像及び右眼用映像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図１３は、従来の映像視聴システム９００の制御タイミングチャートである。図１３のセクション（Ａ）は、液晶パネル９０４の左眼用映像及び右眼用映像の走査タイミングを示す。図１３のセクション（Ｂ）は、バックライト９０５の点灯タイミングを示す。図１３のセクション（Ｃ）は、眼鏡装置９５０のシャッタ９５１，９５２の開閉タイミングを示す。図１２及び図１３を参照しつつ、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴される左眼用映像及び右眼用映像は、視聴者の左右の眼でそれぞれ視聴される。この結果、視聴者は、脳内で、視覚的な立体像を生成する。
【０００８】
図１３に示される制御タイミングで動作する映像視聴システムにおいて、視聴者はシャッタ９５１，９５２が開かれている期間（立体像の生成に必要な映像を視聴するのに十分な期間）のみ左眼用映像又は右眼用映像を視聴する。一方、バックライト９０５は、シャッタ９５１，９５２が開かれている期間以外の期間においても常時点灯している。したがって、図１３に示される制御タイミングで動作する映像視聴システムは、省電力の観点から好ましくない。
【０００９】
図１４は、従来の映像視聴システム９００の他の制御タイミングチャートである。図１４のセクション（Ａ）は、液晶パネル９０４の左眼用映像及び右眼用映像の走査タイミングを示す。図１４のセクション（Ｂ）は、バックライト９０５の点灯タイミングを示す。図１４のセクション（Ｃ）は、眼鏡装置９５０のシャッタ９５１，９５２の開閉タイミングを示す。図１２乃至図１４を参照しつつ、従来の映像視聴システム９００が更に説明される。
【００１０】
特許文献２は、左眼用映像又は右眼用映像が視聴される期間のみバックライト９０５が点灯される制御を開示する。図１４に示される制御では、図１３に示される制御と異なり、左眼用映像又は右眼用映像が視聴される期間のみバックライト９０５が発光している。したがって、図１４に示される制御は、図１３に示される制御よりも省電力の点で優れている。
【００１１】
図１４に示される映像視聴システムは、以下に述べられるような課題を有する。左眼用映像又は右眼用映像が視聴される期間のみバックライト９０５が点灯されることは、バックライト９０５の点灯期間の短縮を意味する。バックライト９０５の点灯期間の短縮の結果、液晶パネル９０４の温度低下が引き起こされる。液晶パネル９０４の温度低下は、液晶パネル９０４の応答速度の低下を招来する。
【００１２】
液晶パネル９０４の応答速度が低下すると、遅い液晶の応答に起因して、例えば、右眼用映像の走査の完了の後も、左眼用映像の一部が液晶パネル９０４に表示され続ける。この結果、左眼用映像からの映像光が右眼シャッタを透過し、視聴者の右眼へ到達する。同様に、左眼用映像の走査完了の後に表示され続ける右眼用映像の一部からの映像光が左眼用シャッタを透過し、視聴者の左眼へ到達する。右眼で視聴される左眼用映像及び／又は左眼で視聴される右眼用映像はクロストークと呼ばれる妨害画像であり、視聴者の脳内での視覚的な立体像の生成を阻害する。
【先行技術文献】
【特許文献】
【００１３】
【特許文献１】特開昭６２−１３３８９１号公報
【特許文献２】特開２００９−２５４３６号公報
【発明の概要】
【発明が解決しようとする課題】
【００１４】
本発明は、左眼用映像と右眼用映像との間のクロストークを抑制することができる表示装置及び映像視聴システムを提供することを目的とする。
【課題を解決するための手段】
【００１５】
本発明の一の局面に係る表示装置は、左眼で視聴されるように作成された左眼用映像と右眼で視聴されるように作成された右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【００１６】
本発明の他の局面に係る映像視聴システムは、左眼用映像と右眼用映像とを時間的に切り換えて表示する表示装置と、前記左眼へ到達する光の量を調整する左眼フィルタと、前記右眼へ到達する光の量を調整する右眼フィルタと、を含む眼鏡装置と、を備え、前記表示装置は、左眼用映像と右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、前記左眼フィルタは、前記制御部の制御下で、前記左眼視聴期間において、前記左眼へ到達する前記光の量を増大させ、前記右眼フィルタは、前記制御部の制御下で、前記右眼視聴期間において、前記右眼へ到達する前記光の量を増大させ、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【図面の簡単な説明】
【００１７】
【図１】第１実施形態に係る映像視聴システムの構成を概略的に示すブロック図である。
【図２】図１に示される映像視聴システムの概略図である。
【図３】図１に示される映像視聴システムの制御を概略的に表す制御タイミングチャートである。
【図４】第２実施形態に係る映像視聴システムの構成を概略的に示すブロック図である。
【図５】図４に示される映像視聴システムの制御を概略的に表す制御タイミングチャートである。
【図６】図５に示される映像視聴システムの制御に用いられる液晶パネルの温度と、液晶パネルの温度に対して設定される第２発光期間との間の関係を例示するグラフである。
【図７Ａ】図４に示される映像視聴システムの温度検出部による液晶パネルの温度の検出手法を例示する液晶パネルの表示領域の概略図である。
【図７Ｂ】図４に示される映像視聴システムの温度検出部による液晶パネルの温度の検出手法を例示する液晶パネルの表示領域の概略図である。
【図８】第３実施形態に係る映像視聴システムの制御を概略的に表す制御タイミングチャートである。
【図９】図８に示される映像視聴システムの制御に用いられる液晶パネルの温度と、液晶パネルの温度に対して設定される第２発光期間におけるバックライトの発光輝度と間の関係を例示するグラフである。
【図１０】第４実施形態に係る映像視聴システムの制御を概略的に表す制御タイミングチャートである。
【図１１】第５実施形態に係る映像視聴システムの制御を概略的に表す制御タイミングチャートである。
【図１２】従来の映像視聴システムの構成を概略的に示すブロック図である。
【図１３】従来の映像視聴システムの制御を例示する制御タイミングチャートである。
【図１４】従来の映像視聴システムの制御を例示する制御タイミングチャートである。
【発明を実施するための形態】
【００１８】
以下、一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本実施形態の原理は、これらに何ら限定されるものではない。
【００１９】
＜第１実施形態＞
（映像視聴システムの構成）
図１は、第１実施形態に係る映像視聴システムの構成を概略的に示すブロック図である。図２は、図１に示される映像視聴システムの概略図である。図１及び図２を参照しつつ、映像視聴システムの構成が説明される。
【００２０】
映像視聴システム１００は、左眼で視聴されるための左眼用映像信号（以下、Ｌ信号と称される）に基づく左眼用映像と、右眼で視聴されるための右眼用映像信号（以下、Ｒ信号と称される）に基づく右眼用映像とを表示する表示装置２００と、表示装置２００が表示する映像の視聴を補助する眼鏡装置３００とを備える。視聴者は、眼鏡装置３００を通じて、表示装置２００が表示する映像を立体的に知覚する。
【００２１】
視力矯正用の眼鏡と同様の形状をなす眼鏡装置３００は、視聴者の左眼前に配設される左眼フィルタ３１１と、視聴者の右眼前に配設される右眼フィルタ３１２とを含む光学フィルタ部３１０を備える。左眼フィルタ３１１及び右眼フィルタ３１２は、表示装置２００が表示する映像から視聴者の左眼へ到達する光の量（以下、左眼光量と称される）及び視聴者の右眼へ到達する光の量（以下、右眼光量と称される）を調整可能に形成される光学素子を含む。左眼フィルタ３１１及び右眼フィルタ３１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。左眼フィルタ３１１は、左眼用映像の表示に同期して、左眼光量を増大させる一方で、右眼用映像の表示に同期して、左眼光量を低減させるように制御される。同様に、右眼フィルタ３１２は、右眼用映像の表示に同期して、右眼光量を増大させる一方で、左眼用映像の表示に同期して、右眼光量を低減させるように制御される。
【００２２】
表示装置２００は、映像信号処理部２１０、液晶駆動部２２０、表示部２３０、第１制御部２５０及び第２制御部２４０を備える。
【００２３】
映像信号処理部２１０には、制御の基礎となる垂直同期周波数を有する映像信号（左眼用映像信号及び右眼用映像信号）が入力される。そして、映像信号処理部２１０は、入力された映像信号を、制御の基礎となる垂直同期周波数のＮ倍（Ｎは自然数）の周波数で、Ｌ信号とＲ信号とに分割して出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。映像信号処理部２１０は、Ｌ信号及びＲ信号の出力に同期して、第１制御部２５０に制御信号を出力する。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学フィルタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の出力に同期する１２０Ｈｚの同期信号であってもよい。本実施形態において第１制御部２５０及び／又は第２制御部２４０は制御部として例示される。
【００２４】
表示部２３０は、左眼で視聴されるように作成された左眼用映像と、右眼で視聴されるように作成された右眼用映像とを時間的に交互切り換えて表示する液晶パネル２３１と、液晶パネル２３１に光を照射するバックライト２３２とを備える。液晶駆動部２２０は、１２０ＨｚのＬ信号及びＲ信号を、液晶パネル２３１が表示可能な形式に変換する。液晶駆動部２２０は、変換されたＬ信号及びＲ信号を液晶パネル２３１へ書き込む。
【００２５】
液晶パネル２３１は、入力されたＬ信号とＲ信号とに応じて、背面から入射する光を変調し、左眼で視聴されるように作成された左眼用映像と、右眼で視聴されるように作成された右眼用映像とを順次表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００２６】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００２７】
第１制御部２５０は、映像信号処理部２１０から出力された１２０Ｈｚの制御信号を基準に発光制御信号を出力する。バックライト２３２は、発光制御信号に基づき明滅する。
【００２８】
第２制御部２４０は、眼鏡装置３００の光学フィルタ部３１０を、左眼用映像及び右眼用映像の表示周期に合わせて制御する。第２制御部２４０は、左眼フィルタ３１１を制御するための左眼用のフィルタ制御部２４１（以下、Ｌフィルタ制御部２４１と称される）と、右眼フィルタ３１２を制御するための右眼用のフィルタ制御部２４２（以下、Ｒフィルタ制御部２４２と称される）とを備える。液晶パネル２３１が左眼用映像及び右眼用映像を、例えば、１２０Ｈｚで表示するとき、Ｌフィルタ制御部２４１は、左眼フィルタ３１１が６０Ｈｚの周期で左眼光量を調整する（増減させる）ように眼鏡装置３００を制御する。同様に、Ｒフィルタ制御部２４２は、右眼フィルタ３１２が６０Ｈｚの周期で右眼光量を調整する（増減させる）ように眼鏡装置３００を制御する。
【００２９】
図２に示される如く、本実施形態において、表示装置２００は、左眼用映像の表示に同期する第１同期信号を送信する第１送信部２４３と、右眼用映像の表示に同期する第２同期信号を送信する第２送信部２４４とを備える。また、眼鏡装置３００は、左眼フィルタ３１１と右眼フィルタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼フィルタ３１１を動作させる。また、眼鏡装置３００は、第２同期信号に基づき、右眼フィルタ３１２を動作させる。表示装置２００と眼鏡装置３００との間の同期信号の無線通信並びに眼鏡装置３００による同期信号の内部処理に対して、既知の他の通信技術並びに既知の他の信号処理技術が用いられてもよい。代替的に、表示装置２００と眼鏡装置３００との間の同期信号の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、同期信号を共通化して左眼用映像の表示と右眼用映像の表示とを信号の立ち上がりに交互に同期させてもよい。
【００３０】
Ｌフィルタ制御部２４１及びＲフィルタ制御部２４２は、映像信号処理部２１０からの制御信号を基準とし、左眼フィルタ３１１による左眼光量の増減周期の位相及び右眼フィルタ３１２による右眼光量の増減周期の位相を決定する。Ｌフィルタ制御部２４１及びＲフィルタ制御部２４２は、決定された位相に従い、第１同期信号及び第２同期信号を出力する。左眼フィルタ３１１及び右眼フィルタ３１２それぞれは、第１同期信号及び第２同期信号に基づき、左眼用映像の表示及び右眼用映像の表示に同期して、左眼光量及び右眼光量を増減させる。
【００３１】
第２制御部２４０は、液晶パネル２３１の応答特性並びに表示される左眼用映像及び右眼用映像との間のクロストーク（相互干渉）を考慮して、左眼フィルタ３１１及び右眼フィルタ３１２それぞれが左眼光量及び右眼光量を増大させている期間（以下、光量増大期間と称される）の長さと、光量増大期間のタイミング（位相）を決定する。本実施の形態において、光量増大期間の長さは、６０Ｈｚの左眼用映像の表示及び／又は６０Ｈｚの右眼用映像の表示の一周期期間（１６．７ｍｓｅｃ）の２５％（デューティ：２５％）とされている。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。本実施形態において、左眼光量に対する光量増大期間の長さは、左眼用映像が走査される左眼走査区間の半分の時間長さに設定されている。また、右眼光量に対する光量増大期間の長さは、右眼用映像が走査される右眼走査区間の半分の時間長さに設定されている。
【００３２】
映像信号処理部２１０の１２０Ｈｚの制御信号に基づき動作する第１制御部２５０は、左眼フィルタ３１１及び右眼フィルタ３１２による光量調整の動作に同期してバックライト２３２を発光させる発光制御信号を出力する。バックライト２３２は、発光制御信号に基づき、明滅する。本実施形態において、バックライト２３２は、第１制御部２５０の制御下で、左眼用映像が視聴される左眼視聴期間（即ち、第２制御部２４０の制御下で動作する左眼フィルタ３１１が左眼光量を増大させている期間）及び右眼用映像が視聴される右眼視聴期間（即ち、第２制御部２４０の制御下で動作する右眼フィルタ３１２が右眼光量を増大させている期間）中に発光する。左眼視聴期間及び右眼視聴期間中のバックライト２３２の発光期間は、以下の説明において、第１発光期間と称される。本実施形態において、バックライト２３２は更に、左眼視聴期間及び右眼視聴期間以外の期間（即ち、左眼用映像及び右眼用映像がともに視聴されない非視聴期間）において、第１制御部２５０の制御下で発光する。左眼視聴期間及び右眼視聴期間以外の期間におけるバックライト２３２の発光期間は、以下の説明において、第２発光期間と称される。第１制御部２５０は、第１発光期間と第２発光期間とを断続的に設定する。
【００３３】
（バックライトの制御）
図３は、映像視聴システム１００の制御を概略的に表す制御タイミングチャートである。図３のセクション（Ａ）は、液晶パネル２３１の映像の走査タイミングを概略的に示す。図３のセクション（Ｂ）は、バックライト２３２の点灯を示す。図３のセクション（Ｃ）は、眼鏡装置３００の左眼フィルタ３１１によって調整される左眼光量の変動並びに右眼フィルタ３１２によって調整される右眼光量の変動を概略的に表す。図１及び図３を参照しつつ、バックライト２３２の制御が説明される。
【００３４】
図３に示される如く、１６．７ｍ秒の１フィールドの期間は、左眼走査区間（以下、Ｌ区間と称される）と右眼走査区間（以下、Ｒ区間と称される）とに分割される。Ｌ区間において、左眼用映像が走査される。Ｒ区間において、右眼用映像が走査される。各フィールドのＬ区間において、左眼用映像信号が液晶パネル２３１に書き込まれる。また、各フィールドのＲ区間において、右眼用映像信号が液晶パネル２３１に書き込まれる。
【００３５】
図３のセクション（Ａ）に示される矢印Ａは、映像信号（Ｌ信号及びＲ信号）の書き込みを示す。また、図３のセクション（Ａ）に示される液晶パネル２３１において、映像の上部を表示する上部表示領域Ｄ１，映像の下部を表示する下部表示領域Ｄ３及び上部表示領域Ｄ１と下部表示領域Ｄ３との間の中間表示領域Ｄ２が示されている。中間表示領域Ｄ２は、上部表示領域Ｄ１で表示される映像部分と下部表示領域Ｄ３で表示される映像部分との間の映像部分を表示する。
【００３６】
図３のセクション（Ａ）の矢印Ａで示される如く、映像信号（Ｌ信号及びＲ信号）は、上部表示領域Ｄ１、中間表示領域Ｄ２及び下部表示領域Ｄ３の順で液晶パネル２３１に書き込まれる。本実施形態において、Ｌ信号及びＲ信号それぞれの書き込みは、１フィールド（１６．７ｍ秒）の約４分の１の期間で完了している。
【００３７】
図３のセクション（Ｂ）に示される「１５０」の数値は、バックライト２３２の相対発光輝度を表す。例えば、バックライト２３２の相対発光輝度の「１５０」との数値は、常時発光状態にあるバックライト２３２に適切な発光輝度として与えられる数値「１００」（例えば、図１３に示されるように）を基準とした相対的な発光輝度として理解されてもよい。
【００３８】
図３のセクション（Ｂ）に示される如く、バックライト２３２は、第１発光期間Ｅ１及び第２発光期間Ｅ２において発光する。断続的に設定された第１発光期間Ｅ１と第２発光期間Ｅ２との間には、バックライト２３２が消灯される消灯期間ＬＯが設けられる。第１発光期間Ｅ１のタイミング及び長さは、左眼フィルタ３１１又は右眼フィルタ３１２それぞれが左眼光量又は右眼光量を増大させる光量増大期間Ｉのタイミング及び長さと略合致する。第２発光期間Ｅ２は、左眼フィルタ３１１及び右眼フィルタ３１２がともに左眼及び右眼への透過光量を低減させている期間（即ち、光量増大期間Ｉ以外の期間）に設けられる。左眼フィルタ３１１及び右眼フィルタ３１２がともに左眼及び右眼への透過光量を低減させている期間は、左眼用映像及び右眼用映像が視聴されない非視聴期間となる。図３に示される如く、以下の説明において、第１発光期間Ｅ１中のバックライト２３２の発光は、メイン発光と称される。また、第２発光期間Ｅ２中のバックライト２３２の発光は、サブ発光と称される。
【００３９】
メイン発光及びサブ発光の役割が説明される。図３のセクション（Ｃ）に示される如く、光量増大期間Ｉは、Ｌ区間における左眼用映像の走査の完了及びＲ区間における右眼用映像の走査の完了と略同時に開始され、Ｌ区間とＲ区間との間の切り換えと略同時に終了する。この結果、Ｌ区間において、視聴者は左眼で左眼用映像を視聴し、Ｒ区間において、視聴者は右眼で右眼用映像を視聴する。左眼用映像と右眼用映像との間に設けられた視差によって、視聴者は脳内で左眼用映像及び右眼用映像中で表現されたオブジェクトを立体的に知覚する。したがって、左眼及び右眼いずれかへの透過光量が増大している光量増大期間Ｉにおけるバックライト２３２の発光は、映像の視聴に直接的な影響を与える。以下の説明において、第１発光期間Ｅ１中のバックライト２３２の発光はメイン発光と称される。
【００４０】
一方、左眼及び右眼への透過光量がともに低減されている期間（光量増大期間Ｉ以外の期間）におけるバックライト２３２からの光（即ち、第２発光期間Ｅ２におけるバックライト２３２の発光）は、左眼フィルタ３１１及び右眼フィルタ３１２によって遮断され、視聴者の左眼及び右眼に到達しない。したがって、第２発光期間Ｅ２におけるバックライト２３２の発光は、映像の視聴に直接的な影響を与えない。以下の説明において、第２発光期間Ｅ２中のバックライト２３２の発光はサブ発光と称される。本実施形態において、メイン発光及びサブ発光の発光輝度は、「１５０」の値の相対発光輝度（例えば、図１４に示される従来のバックライトに対して１．５倍の発光輝度）である。第２発光期間Ｅ２の長さ（即ち、サブ発光の期間の長さ）は、第１発光期間Ｅ１（即ち、メイン発光の期間の長さ）の約１／３の長さである。
【００４１】
液晶パネル２３１とクロストークとの間の関係が説明される。液晶パネル２３１は、映像を表示するための液晶層（図示せず）を備える。液晶駆動部２２０がＬ信号又はＲ信号を書き込むと、液晶パネル２３１の液晶層に含まれる液晶分子の配列方向が変化する。この結果、液晶パネル２３１の光透過率が変化する。バックライト２３２が液晶パネル２３１へ光を照射すると、液晶パネル２３１の光透過率の変化に応じて、液晶パネル２３１上の輝度が変化する。この結果、視聴者は、液晶駆動部２２０によって書き込まれたＬ信号に基づく左眼用映像又はＲ信号に基づく右眼用映像を視聴することができる。
【００４２】
液晶パネル２３１の液晶層が低温であるとき、液晶駆動部２２０の映像信号（Ｌ信号及び／又はＲ信号）の書き込みに対する液晶分子の応答速度は一般的に低くなる。したがって、映像信号が液晶パネル２３１に書き込まれてから液晶パネル２３１の光透過率が変化するまでの時間が長くなる。液晶パネル２３１の光透過率の変化（映像信号の書き込みに対応する光透過率の変化）が、光量増大期間Ｉの開始までに完了しないならば、映像信号の書き込み前の映像の一部が左眼フィルタ３１１又は右眼フィルタ３１２を透過し、左眼又は右眼に到達する。したがって、左眼用映像が右眼で視聴され、右眼用映像が左眼で視聴されることとなる。このような不具合は、クロストークと称される。
【００４３】
図３に示される如く、第１発光期間Ｅ１におけるバックライト２３２の発光輝度が比較的高く設定されることにより、液晶パネル２３１の温度が上昇する。また、第２発光期間Ｅ２が設けられることにより、液晶パネル２３１の温度低下が抑制される。したがって、液晶パネル２３１の液晶の応答遅れが好適に抑制される。かくして、本実施形態に係る映像視聴システム１００は、クロストークが低減された高品質の立体映像を提供することができる。
【００４４】
バックライト２３２に用いられるＬＥＤの発光輝度は、ＬＥＤへの駆動電流及び発光期間（発光デューティ）のうち少なくとも一方が変更されることにより調整されることが一般的である。本実施形態において、第１発光期間Ｅ１のタイミング並びに長さは、左眼用映像の表示及び右眼用映像の表示に対してそれぞれ規定された光量増大期間Ｉのタイミング並びに長さと略一致するように定められている。
【００４５】
本実施形態において、第１発光期間Ｅ１におけるＬＥＤの発光輝度は、ＬＥＤへの駆動電流を用いて調整される。ＬＥＤの駆動電流は、ＬＥＤの動作寿命に影響を与えない範囲、発光色の変化による表示色変化に大きな影響を与えない範囲及び／又は省電力の観点から許容できる発光効率の範囲で調整されることが好ましい。この結果、動作寿命の短縮、発光色（色度）の変化及び／又は発光効率の低下が好適に抑制される。
【００４６】
本実施形態において示された１．５倍の発光輝度の増加率に代えて、ＬＥＤ素子の種類や駆動電流と発光デューティとの組み合わせに応じて、バックライト２３２の発光輝度が他の増加率に変更されてもよい。バックライト２３２の発光輝度の増加率は、好ましくは、例えば、ＬＥＤ素子の寿命に応じて決定される。ＬＥＤ素子への駆動電流によるバックライト２３２の発光輝度の調整に代えて、ＬＥＤ素子をパルス幅変調（ＰＷＭ）駆動することにより、バックライト２３２の発光輝度の調整がなされてもよい。パルス幅変調（ＰＷＭ）駆動を用いて、バックライト２３２の発光輝度を低減させる制御が実行されてもよい。
【００４７】
本実施形態において、立体映像の視聴に直接的な影響を与える第１発光期間Ｅ１中のバックライト２３２の発光輝度は比較的高く設定されている。したがって、比較的明るく視聴しやすい立体映像が視聴者に提供されることとなる。
【００４８】
上述の如く、第２発光期間Ｅ２におけるサブ発光は、立体映像の視聴に直接的な影響をほとんど与えない（光学フィルタ部３１０が透過光を低減しているため）。したがって、立体映像の視聴に直接的な影響をほとんど与えることなく、第２発光期間Ｅ２におけるサブ発光により、液晶パネル２３１の温度が上昇される。第２発光期間Ｅ２におけるサブ発光に起因する液晶パネル２３１の温度上昇の結果、液晶パネル２３１の液晶分子の応答速度が向上される。かくして、左眼用映像及び／又は右眼用映像を表示するための液晶の応答が比較的短い時間で完了する。この結果、左眼用映像と右眼用映像との間のクロストークが好適に低減される。本実施形態において、サブ発光の輝度及び第２発光期間Ｅ２の長さは、光学フィルタ部３１０の動作条件に適合された上で、液晶パネル２３１の液晶の十分に高い応答速度が得られるように決定されている。
【００４９】
上述の如く、第２発光期間Ｅ２におけるサブ発光の輝度は、第１発光期間Ｅ１中のメイン発光の輝度と略等しい。また、第２発光期間Ｅ２の長さは、第１発光期間Ｅ１の長さの約３分の１である。代替的に、液晶パネル２３１の特性や液晶パネル２３１／眼鏡装置３００の動作条件に適合されるように決定された他のサブ発光の輝度や他の第２発光期間Ｅ２が用いられてもよい。上述の如く、第２発光期間Ｅ２におけるＬＥＤの発光輝度は、ＬＥＤの寿命や信頼性を考慮して決定されることが好ましい。第１発光期間Ｅ１中のメイン発光によって、液晶パネル２３１の十分な温度上昇が得られる場合には、第２発光期間Ｅ２におけるサブ発光は省略されてもよい。
【００５０】
＜第２実施形態＞
（映像視聴システムの構成）
図４は、第２実施形態に係る映像視聴システム１００Ａの構成を概略的に示すブロック図である。第２実施形態に係る映像視聴システム１００Ａと、第１実施形態に係る映像視聴システム１００との相違点が説明される。
【００５１】
映像視聴システム１００Ａは、第１実施形態と同様の眼鏡装置３００と、左眼用映像と右眼用映像とを交互に表示する表示装置２００Ａを備える。表示装置２００Ａは、映像信号処理部２１０、液晶駆動部２２０、表示部２３０Ａ、第１制御部２５０Ａ及び第２制御部２４０を備える。本実施形態において、表示部２３０Ａは、第１実施形態と同様のバックライト２３２及び液晶パネル２３１に加えて、温度検出部２３３を備える。
【００５２】
温度検出部２３３は、液晶パネル２３１の温度を検出するとともに、検出された温度に応じた温度信号を第１制御部２５０Ａへ出力する。第１制御部２５０Ａは、映像信号処理部２１０から出力される制御信号に加えて、温度検出部２３３からの温度信号に基づきバックライト２３２の発光期間の長さ及び発光期間のタイミングを調整するための発光制御信号をバックライト２３２に出力する。
【００５３】
図５は、映像視聴システム１００Ａの制御を概略的に表す制御タイミングチャートである。図５の左図は、液晶パネル２３１の温度が比較的高いときのバックライト２３２に対する制御を示す。図５の右図は、液晶パネル２３１の温度が低下したときのバックライト２３２に対する制御を示す。図５のセクション（Ａ）は、液晶パネル２３１の映像の走査タイミングを概略的に示す。図５のセクション（Ｂ）は、バックライト２３２の点灯を示す。図５のセクション（Ｃ）は、眼鏡装置３００の左眼フィルタ３１１によって調整される左眼光量の変動並びに右眼フィルタ３１２によって調整される右眼光量の変動を概略的に表す。図４及び図５を参照しつつ、バックライト２３２の制御に関する第１実施形態との相違点が説明される。
【００５４】
図５のセクション（Ａ）に示される液晶駆動部２２０による左眼用映像信号及び右眼用映像信号の液晶パネル２３１への書き込みは、第１実施形態と同様である。また、第２制御部２４０の制御に基づく光学フィルタ部３１０（左眼フィルタ３１１及び右眼フィルタ３１２）の動作も第１実施形態と同様である。図５のセクション（Ｂ）に示される如く、第１制御部２５０Ａは、検出された液晶パネル２３１の温度に応じて、第２発光期間Ｅ２の長さ（発光デューティ）を変化させる。尚、第１発光期間Ｅ１の長さ及びタイミングは、第１実施形態と同様である。また、第１実施形態と同様に、消灯期間ＬＯが第１発光期間Ｅ１と第２発光期間Ｅ２との間に設けられる。比較的高い液晶パネル２３１の温度条件（図５左図）から液晶パネル２３１の温度が低下したときの第１制御部２５０Ａによるバックライト２３２に対する制御の変化が以下に説明される。尚、液晶パネル２３１の温度の変動は、例えば、周囲温度の変化や表示装置２００Ａの継続稼働時間といった因子によって生ずる。
【００５５】
第１制御部２５０Ａの制御下で明滅するバックライト２３２の発光輝度は、第１発光期間Ｅ１及び第２発光期間Ｅ２の両期間において「１５０」の相対発光輝度である。本実施形態において、第１制御部２５０Ａは、液晶パネル２３１の温度変動に拘わらず、バックライト２３２の発光輝度を一定に保つ。
【００５６】
十分に高い液晶の応答速度が得られる温度条件（図５左図参照）において、第１制御部２５０Ａは、比較的短い第２発光期間Ｅ２を設けるようにバックライト２３２を制御する。液晶パネル２３１の温度が所定値以下となるとき、第１制御部２５０Ａは第２発光期間Ｅ２を長くするようにバックライト２３２を制御する（図５右図参照）。この結果、液晶パネル２３１は、クロストークをほとんど生じさせない程度に高い液晶の応答速度が得られるような温度に保たれることとなる。かくして、左眼用映像と右眼用映像との間のクロストークが好適に抑制される。
【００５７】
図６は、液晶パネル２３１の温度と、液晶パネル２３１の温度に対して設定される第２発光期間Ｅ２（サブ発光のデューティ）との間の関係を例示するグラフである。図６のグラフの横軸は、液晶パネル２３１の温度を示す。図６のグラフの縦軸は、１フィールド（６０Ｈｚ）の周期を１００％としたときの第２発光期間Ｅ２の割合をパーセンテージ（％）で表すサブ発光のデューティを示す。図４乃至図６を参照しつつ、第２発光期間Ｅ２の長さの調整制御が更に説明される。
【００５８】
図６中、立体映像を表示するのに適切な温度範囲は、「立体表示動作温度範囲」として示される。立体表示動作温度範囲の上限値は、「ＴＨ」で示されている。立体表示動作温度範囲の下限値は、「ＴＬ」で示されている。更に、液晶パネル２３１の液晶の温度に対する閾値は、「ＴＴＨ」で示されている。液晶パネル２３１の温度が、ＴＴＨ以上ＴＨ以下であるとき、液晶パネル２３１の温度は、十分な応答速度を有し、液晶パネル２３１は、視聴者に、左眼用映像と右眼用映像との間のクロストークが十分に低減された映像（左眼用映像及び右眼用映像）を提供することができる。このとき、第１制御部２５０Ａは、サブ発光のデューティを０％にするようにバックライト２３２を制御する（即ち、第２発光期間Ｅ２を設けない）。
【００５９】
図６のグラフの縦軸に表されるＤＭＡＸは、最長の第２発光期間Ｅ２に対するサブ発光の期間のデューティを表す。即ち、サブ発光の期間のデューティの値がＤＭＡＸであるときの第２発光期間Ｅ２と第１発光期間Ｅ１との加算値は１フィールドに等しくなる。液晶パネル２３１の温度がＴＴＨを下回ると、第１制御部２５０Ａは、徐々にサブ発光の期間のデューティを長くするようにバックライト２３２を制御する（即ち、第２発光期間Ｅ２を長くする）。図６に示されるサブ発光の期間のデューティに対する制御では、液晶パネル２３１の温度がＴＬであるとき、サブ発光の期間のデューティの値がＤＭＡＸとなるように、第１制御部２５０Ａはバックライト２３２を制御する。
【００６０】
図６に示されるサブ発光の期間のデューティに対する制御によれば、表示装置２００Ａは、液晶パネル２３１の温度変化に起因する左眼用映像と右眼用映像との間のクロストークを比較的少ない電力消費で抑制することができる。したがって、表示装置２００Ａが設置された様々な環境或いは様々な動作条件に対応して、表示装置２００Ａは比較的少ない消費電力で、高い品質の立体映像を視聴者に提供することができる。
【００６１】
図７Ａ及び図７Ｂは、温度検出部２３３による液晶パネル２３１の温度の検出手法を例示する。図７Ａ及び図７Ｂは、液晶パネル２３１の表示領域を示す。図７Ａに示される液晶パネル２３１の表示領域は、液晶駆動部２２０による映像信号の書き込みの副走査方向（横方向）に概念的に分割されている。図７Ｂに示される液晶パネル２３１の表示領域は、行列状に概念的に分割されている。図４乃至図７Ｂを参照しつつ、温度検出部２３３による液晶パネル２３１の温度の検出が説明される。
【００６２】
図７Ａに示される液晶パネル２３１の表示領域は、領域Ａ１乃至領域Ａ５に概念的に分割されている。各領域Ａ１乃至Ａ５は、一体的に左眼用映像及び右眼用映像を表示するために用いられる。バックライト２３２は、各領域Ａ１乃至Ａ５それぞれに光を照射する照射領域（図示せず）を備える。温度検出部２３３は、領域Ａ１乃至領域Ａ５それぞれの温度を検出する。第１制御部２５０Ａは、各領域Ａ１乃至Ａ５それぞれに対応する照射領域における第２発光期間Ｅ２の長さを独立に制御する。例えば、温度検出部２３３が検出した領域Ａ３における温度が他の領域と比較して低いとき、第１制御部２５０Ａは領域Ａ３に対応する照射領域の第２発光期間Ｅ２の長さを他の領域よりも長くするようにバックライト２３２を制御する。
【００６３】
代替的に、温度検出部２３３は、領域Ａ１乃至Ａ５のうち１つの領域の温度を測定してもよい。或いは、温度検出部２３３は、領域Ａ１乃至Ａ５の温度の平均値を液晶パネル２３１の温度として出力してもよい。第１制御部２５０Ａは、相対的に下方に位置する領域（例えば、領域Ａ５や領域Ａ４）に対応する照射領域における第２発光期間Ｅ２の長さを相対的に上方に位置する領域（例えば、領域Ａ１や領域Ａ２）に対応する第２発光期間Ｅ２よりも長く設けるようにバックライト２３２を制御してもよい。例えば、第１制御部２５０Ａは、領域Ａ３に対応する照射領域のサブ発光期間のデューティに対して、領域Ａ４及び領域Ａ５に対応する照射領域のサブ発光期間のデューティを５％増とし、領域Ａ１及び領域Ａ５に対応する照射領域のサブ発光期間のデューティを５％減とするようにバックライト２３２を制御してもよい。かくして、熱対流の影響が考慮されつつ、第２発光期間Ｅ２の調整が実行される。
【００６４】
図７Ｂに示される如く、液晶パネル２３１の表示領域は、行列状に概念的に分割されてもよい。図７Ａに関連して説明されたように、バックライト２３２は、概念的に分割された液晶パネル２３１の各領域（図７Ｂにおいて、領域Ａ１１乃至Ａ５３が示されている）に対応する照射領域を備える。温度検出部２３３は、各領域Ａ１１乃至Ａ５３の温度を検出する。第１制御部２５０Ａは、検出された温度に応じて、各領域Ａ１１乃至Ａ５３に対応する照射領域における第２発光期間Ｅ２の長さを調整する。表示領域の概念的な分割数及びこれに対応する独立制御可能な照射領域の数の増大は、表示装置２００Ａの特性に応じたバックライト２３２の精密な制御を可能にする。例えば、領域Ａ４２の付近に比較的発熱量の大きな素子が存するとき、温度検出部２３３は当該素子に起因する液晶の温度上昇を検出する。この結果、第１制御部２５０Ａは、領域Ａ４２及び／又はその周囲の領域の第２発光期間Ｅ２を不必要に長く設定することなく、適切にバックライト２３２を制御することができる。かくして、表示装置２００Ａの省電力化が促される。
【００６５】
＜第３実施形態＞
図４に関連して説明された映像視聴システム１００Ａの構成は、第３実施形態に援用される。第３実施形態において、第１制御部２５０Ａは、第２発光期間Ｅ２の長さに代えて、液晶パネル２３１の温度に応じて、第２発光期間Ｅ２におけるバックライト２３２の輝度を調整する。
【００６６】
図８は、映像視聴システム１００Ａの制御を概略的に表す制御タイミングチャートである。図８の左図は、液晶パネル２３１の温度が比較的高いときのバックライト２３２に対する制御を示す。図８の右図は、液晶パネル２３１の温度が低下したときのバックライト２３２に対する制御を示す。図８のセクション（Ａ）は、液晶パネル２３１の映像の走査タイミングを概略的に示す。図８のセクション（Ｂ）は、バックライト２３２の点灯を示す。図８のセクション（Ｃ）は、眼鏡装置３００の左眼フィルタ３１１によって調整される左眼光量の変動並びに右眼フィルタ３１２によって調整される右眼光量の変動を概略的に表す。図４及び図８を参照しつつ、バックライト２３２の制御に関する第２実施形態との相違点が説明される。
【００６７】
図８のセクション（Ａ）に示される液晶駆動部２２０による左眼用映像信号及び右眼用映像信号の液晶パネル２３１への書き込みは、第２実施形態と同様である。また、第２制御部２４０の制御に基づく光学フィルタ部３１０（左眼フィルタ３１１及び右眼フィルタ３１２）の動作も第２実施形態と同様である。更に、第１発光期間Ｅ１の長さ及びタイミング並びに第１発光期間におけるバックライト２３２の輝度は、第２実施形態と同様である。また、第２実施形態と同様に、消灯期間ＬＯが第１発光期間Ｅ１と第２発光期間Ｅ２との間に設けられる。
【００６８】
図８のセクション（Ｂ）に示される如く、第１制御部２５０Ａは、温度検出部２３３によって検出された液晶パネル２３１の温度に応じて、第２発光期間Ｅ２におけるバックライト２３２の輝度を変化させる。比較的高い液晶パネル２３１の温度条件（図８左図）から液晶パネル２３１の温度が低下したときの第１制御部２５０Ａによるバックライト２３２に対する制御の変化が以下に説明される。
【００６９】
本実施形態において、第１制御部２５０Ａは、液晶パネル２３１の温度変動に拘わらず、第１発光期間Ｅ１及び第２発光期間Ｅ２の長さ及びタイミングを略一定に保つ。
【００７０】
十分に高い液晶の応答速度が得られる温度条件（図８左図参照）において、第１制御部２５０Ａは、第２発光期間Ｅ２において、比較的低い発光輝度（図８左図中、「５０」の相対発光輝度の値が示されている）でバックライト２３２を点灯させる。液晶パネル２３１の温度が所定値以下となるとき、第１制御部２５０Ａは第２発光期間Ｅ２におけるバックライト２３２の発光輝度を増大させる（図８右図中、「１５０」の相対発光輝度の値が示されている）。この結果、液晶パネル２３１の温度が増大し、液晶の応答速度が向上する。かくして、左眼用映像と右眼用映像との間のクロストークが好適に低減される。上述の如く、バックライト２３２に用いられるＬＥＤの発光輝度を調整するためのＬＥＤへの駆動電流は、ＬＥＤの寿命や信頼性を考慮して決定されることが好ましい。
【００７１】
図９は、液晶パネル２３１の温度と、液晶パネル２３１の温度に対して設定される第２発光期間Ｅ２におけるバックライト２３２の相対発光輝度との間の関係を例示するグラフである。図９のグラフの横軸は、液晶パネル２３１の温度を示す。図９のグラフの縦軸は、第２発光期間Ｅ２におけるバックライト２３２の相対発光輝度を示す。図４、図８及び図９を参照しつつ、第２発光期間Ｅ２におけるバックライト２３２の発光輝度の調整制御が更に説明される。
【００７２】
図９中、立体映像を表示するのに適切な温度範囲は、「立体表示動作温度範囲」として示される。立体表示動作温度範囲の上限値は、「ＴＨ」で示されている。立体表示動作温度範囲の下限値は、「ＴＬ」で示されている。更に、液晶パネル２３１の液晶の温度に対する閾値は、「ＴＴＨ」で示されている。液晶パネル２３１の温度が、ＴＴＨ以上ＴＨ以下であるとき、液晶パネル２３１の温度は、液晶パネル２３１の液晶は、十分な応答速度を有し、液晶パネル２３１は、視聴者に、左眼用映像と右眼用映像との間のクロストークが十分に低減された映像（左眼用映像及び右眼用映像）を提供することができる。このとき、第１制御部２５０Ａは、第２発光期間Ｅ２中のバックライト２３２の相対発光輝度が、例えば、「５０」の値となるようにバックライト２３２を制御する。尚、図９に示される相対発光輝度と液晶パネル２３１の温度との間の関係は、本実施形態の原理を何ら制限するものではない。例えば、第１制御部２５０Ａは、液晶パネル２３１の温度が十分高いとき、バックライト２３２を消灯させてもよい。したがって、第２実施形態と同様に、液晶パネル２３１の温度が、例えば、「ＴＴＨ」以上であるとき、第１制御部２５０Ａはバックライト２３２の相対発光輝度が「０」となるようにバックライト２３２を制御してもよい。
【００７３】
液晶パネル２３１の温度がＴＴＨを下回ると、第１制御部２５０Ａは、第２発光期間Ｅ２におけるバックライト２３２の相対発光輝度を徐々に増大させるようにバックライト２３２を制御する。図９に示される第２発光期間Ｅ２におけるバックライト２３２の発光輝度に対する制御では、液晶パネル２３１の温度がＴＬであるとき、第２発光期間Ｅ２におけるバックライト２３２の相対発光輝度が「１５０」となるように、第１制御部２５０Ａはバックライト２３２を制御する。
【００７４】
図９に示される第２発光期間Ｅ２におけるバックライト２３２の発光輝度に対する制御によれば、表示装置２００Ａは、液晶パネル２３１の温度変化に起因する左眼用映像と右眼用映像との間のクロストークを比較的少ない電力消費で抑制することができる。したがって、表示装置２００Ａが設置された様々な環境或いは様々な動作条件に対応して、表示装置２００Ａは比較的少ない消費電力で、高い品質の立体映像を視聴者に提供することができる。
【００７５】
図７Ａ及び図７Ｂに関連して説明された如く、本実施形態においても、温度検出部２３３は、液晶パネル２３１の表示領域に概念的に規定された領域Ａ１乃至領域Ａ５（図７Ａ参照）或いは領域Ａ１１乃至Ａ５３（図７Ｂ参照）ごとに温度を測定してもよい。また、第１制御部２５０Ａは、液晶パネル２３１の表示領域に概念的に規定された領域Ａ１乃至領域Ａ５（図７Ａ参照）或いは領域Ａ１１乃至Ａ５３（図７Ｂ参照）に対応する照射領域ごとに発光輝度を独立して調整してもよい。例えば、図７Ａに示される領域Ａ２が他の領域Ａ１，Ａ３乃至Ａ５と較べて低いとき、第１制御部２５０Ａは、領域Ａ２に光を照射するバックライト２３２の照射領域の発光輝度を、第２発光期間Ｅ２において、他の照射領域よりも高くしてもよい。代替的に、表示装置２００Ａ内の熱の移動を考慮して、第１制御部２５０Ａは、上方に位置する液晶パネル２３１の領域に光を照射する照射領域の発光輝度が、下方に位置する液晶パネル２３１の領域に光を照射する照射領域の発光輝度より高くなるようにバックライト２３２を制御してもよい。
【００７６】
第２実施形態及び第３実施形態において、温度検出部２３３として用いられる温度センサは液晶パネル２３１の温度を測定している。代替的に、温度検出部２３３として、表示装置２００Ａが設置された環境の温度を検知する温度センサが用いられてもよい。
【００７７】
第２実施形態において、第２発光期間Ｅ２の長さが単独で調整されている。第３実施形態において、第２発光期間Ｅ２におけるバックライト２３２の発光輝度が調整されている。代替的に、第１制御部２５０Ａは、第２発光期間Ｅ２の長さ及び第２発光期間Ｅ２におけるバックライト２３２の発光輝度の両方を液晶パネル２３１の温度に応じて調整してもよい。
【００７８】
図６に示された液晶パネル２３１と第２発光期間Ｅ２の長さとの間の関係及び図９に示された第２発光期間Ｅ２におけるバックライト２３２の相対発光輝度との間の関係は、例示的なものである。したがって、これらの関係に関する他の設定が用いられてもよい。
【００７９】
＜第４実施形態＞
図４に関連して説明された映像視聴システム１００Ａの構成は、第４実施形態に援用される。第４実施形態において、映像信号処理部２１０からの制御信号に基づき、第１制御部２５０Ａは、バックライト２３２の照射領域ごとに第１発光期間Ｅ１のタイミングを制御する。
【００８０】
図１０は、映像視聴システム１００Ａの制御を概略的に表す制御タイミングチャートである。図１０のセクション（Ａ）は、液晶パネル２３１の映像の走査タイミングを概略的に示す。図１０のセクション（Ｂ）は、バックライト２３２の点灯を示す。図１０のセクション（Ｃ）は、眼鏡装置３００の左眼フィルタ３１１によって調整される左眼光量の変動並びに右眼フィルタ３１２によって調整される右眼光量の変動を概略的に表す。図４及び図１０を参照しつつ、バックライト２３２の制御に関する第１実施形態との相違点が説明される。
【００８１】
図１０のセクション（Ａ）に示される液晶駆動部２２０による左眼用映像信号及び右眼用映像信号の液晶パネル２３１への書き込みは、第１実施形態と同様である。尚、液晶パネル２３１の表示領域は、説明の便宜上、領域Ｄ１（最も上方に位置する表示領域）乃至領域Ｄ８（最も下方に位置する表示領域）に概念的に分割して示されている。
【００８２】
図１０のセクション（Ｂ）に示されるバックライト２３２は、液晶駆動部２２０による映像（左眼用映像及び右眼用映像）の副走査方向に分割された８つの照射領域Ｌ１乃至Ｌ８を含む。照射領域Ｌ１乃至Ｌ８それぞれは、液晶パネル２３１の領域Ｄ１乃至Ｄ８に光を照射する。第１制御部２５０Ａは、各照射領域Ｌ１乃至Ｌ８におけるバックライト２３２の点灯タイミング及び点灯期間の長さ（第１発光期間Ｅ１及び第２発光期間Ｅ２）を調整する。第１制御部２５０Ａは、各照射領域Ｌ１乃至Ｌ８において、バックライト２３２が映像の視聴に直接的な影響を与えるメイン発光を行う第１発光期間Ｅ１と、バックライト２３２が映像の視聴に直接的な影響を与えないサブ発光を行う第２発光期間Ｅ２とを設ける。また、各照射領域Ｌ１乃至Ｌ８において、第１発光期間Ｅ１と第２発光期間Ｅ２との間にバックライト２３２が消灯される消灯期間ＬＯが設けられる。
【００８３】
第１発光期間Ｅ１におけるバックライト２３２のメイン発光が説明される。図１０のセクション（Ａ）の矢印Ａで示される如く、映像信号（左眼用映像信号及び右眼用映像信号）は、液晶パネル２３１の上部に存する領域Ｄ１から書き込まれ、液晶パネル２３１の下部に存する領域Ｄ８において映像信号の書き込みが終了する。したがって、液晶パネル２３１の液晶層の応答は、領域Ｄ１から開始され、領域Ｄ８において完了する。かくして、液晶パネル２３１の上部で表示される映像ほど、左眼用映像から右眼用映像への切り替わり或いはその逆が早期に行われることとなる。
【００８４】
図１０のセクション（Ｃ）に示される如く、第２制御部２４０は、領域Ｄ１における液晶パネル２３１の液晶層の応答完了時刻から領域Ｄ８における液晶層の応答完了時刻までの間、左眼フィルタ３１１又は右眼フィルタ３１２を透過する光量を増大させるように眼鏡装置３００の光学フィルタ部３１０を制御する。したがって、光量増大期間Ｉは、Ｌ区間とＲ区間との間の切り替わり時刻を跨ぐ。光量増大期間Ｉの開始時刻は、Ｌ区間とＲ区間との間の切り替わり時刻前であり、光量増大期間Ｉの終了時刻は、Ｌ区間とＲ区間との間の切り替わり時刻後である。
【００８５】
液晶パネル２３１の領域Ｄ１において、映像信号の書き込みに応じた液晶の応答が完了すると、第１制御部２５０Ａはバックライト２３２を制御し、照射領域Ｌ１を点灯させる。その後、液晶パネル２３１の領域Ｄ１において次の映像信号の書き込みが開始される前に、第１制御部２５０Ａはバックライト２３２を制御し、照射領域Ｌ１を消灯させる。領域Ｄ１における液晶パネル２３１への映像信号の書き込み（或いは、液晶パネル２３１の液晶の応答の完了）に同期するように、バックライト２３２の対応する照射領域Ｌ１を発光／消灯させる結果、液晶パネル２３１の領域Ｄ１に表示された映像（左眼用映像又は右眼用映像）は、左眼又は右眼に到達する。上述の液晶パネル２３１の領域Ｄ１並びにバックライト２３２の照射領域Ｌ１に関連する説明は、領域Ｄ１及び照射領域Ｌ１の下方に位置する領域Ｄ２乃至Ｄ８並びに対応する照射領域Ｌ２乃至Ｌ８に対して、同様に適用される。したがって、バックライト２３２は、上部から下部に向けて順次点灯並びに消灯する。
【００８６】
上述の如く、各領域において、液晶パネル２３１の書き込み並びに当該書き込みに対応する液晶の応答が完了した後にバックライト２３２の各照射領域Ｌ１乃至Ｌ８が点灯することによって、視聴者は、左眼用映像と右眼用映像との間のクロストークが十分に低減された立体映像の視聴を享受することができる。このように各照射領域Ｌ１乃至Ｌ８の点灯・消灯タイミングが独立して制御されることにより、第１乃至第３実施形態（バックライト２３２全体が一斉に発光する）と較べて全体として長い第１発光期間Ｅ１が設定されることとなる。この結果、視聴者は比較的明るい立体映像の視聴を享受することができる。図１０に関連して説明されたバックライト２３２の点灯方式（各照射領域Ｌ１乃至Ｌ８が順次点灯及び消灯する方式）は、バックライトスキャン（或いは、バックライトスクロール）と称される。左眼用映像信号の書き込みに対応するバックライト２３２のバックライトスキャン制御及び右眼用映像信号の書き込みに対応するバックライト２３２のバックライトスキャン制御は互いに略等しい様式で実行されてもよい。このようにして、左眼用映像及び右眼用映像が、バックライトスキャンの下、液晶パネル２３１上に映し出されることによって、視聴者は、比較的明るく、且つ、比較的クロストークの少ない高品位の立体映像を視聴することができる。
【００８７】
尚、図１０のセクション（Ｃ）において、光量増大期間Ｉは、バックライトスキャンの開始時点（即ち、照射領域Ｌ１における第１発光期間Ｅ１の開始時刻）からバックライトスキャンの終了時点（即ち、照射領域Ｌ８における第１発光期間Ｅ１の終了時刻）までの期間を網羅するように設定されている。
【００８８】
第２発光期間Ｅ２におけるバックライト２３２のサブ発光が説明される。図１０に示される如く、第２発光期間Ｅ２は、光量増大期間Ｉ以外の期間（即ち、左眼フィルタ３１１及び右眼フィルタ３１２が、液晶パネル２３１に表示される映像からの光の透過光量を低減させている期間）に設けられる。第１乃至第３実施形態と同様に、第２発光期間Ｅ２が設けられることにより、液晶パネル２３１の温度低下が好適に抑制される。この結果、左眼用映像と右眼用映像との間のクロストークが好適に抑制される。
【００８９】
本実施形態において、第２発光期間Ｅ２は、光量増大期間Ｉ以外の期間を略網羅するようにバックライト２３２は点灯される。代替的に、第２発光期間Ｅ２の長さ（即ち、サブ発光のデューティ）は、表示装置２００Ａの周囲温度に拘わらず、十分な液晶の応答特性が得られるような固定値として決定されてもよい。同様に、第２発光期間Ｅ２におけるバックライト２３２の発光輝度も、表示装置２００Ａの周囲温度に拘わらず、十分な液晶の応答特性が得られるような固定値として決定されてもよい。このように、第２発光期間Ｅ２の長さ及び／又は第２発光期間Ｅ２におけるバックライト２３２の発光輝度の大きさが固定値として決定されるならば、温度検出部２３３は省略されてもよい。
【００９０】
代替的に、温度検出部２３３が検出した液晶パネル２３１の温度或いは表示装置２００Ａの周囲の温度に応じて、第２発光期間Ｅ２の長さ及び／又は第２発光期間Ｅ２におけるバックライト２３２の発光輝度が調整されてもよい。このように液晶パネル２３１の温度或いは表示装置２００Ａの周囲の温度に応じて、第２発光期間Ｅ２の長さ及び／又は第２発光期間Ｅ２におけるバックライト２３２の発光輝度が調整されることにより、比較的少ない消費電力を用いて、左眼用映像と右眼用映像との間のクロストークが抑制されることとなる。
【００９１】
＜第５実施形態＞
図４に関連して説明された映像視聴システム１００Ａの構成は、第５実施形態に援用される。第５実施形態において、映像信号処理部２１０からの制御信号に基づき、第１制御部２５０Ａは、バックライト２３２の照射領域ごとに第１発光期間Ｅ１のタイミングに加えて、第２発光期間Ｅ２のタイミング及び長さを調整する。
【００９２】
図１１は、映像視聴システム１００Ａの制御を概略的に表す制御タイミングチャートである。図１１のセクション（Ａ）は、液晶パネル２３１の映像の走査タイミングを概略的に示す。図１１のセクション（Ｂ）は、バックライト２３２の点灯を示す。図１１のセクション（Ｃ）は、眼鏡装置３００の左眼フィルタ３１１によって調整される左眼光量の変動並びに右眼フィルタ３１２によって調整される右眼光量の変動を概略的に表す。図４及び図１１を参照しつつ、バックライト２３２の制御に関する第４実施形態との相違点が説明される。
【００９３】
図１１のセクション（Ａ）に示される液晶駆動部２２０による左眼用映像信号及び右眼用映像信号の液晶パネル２３１への書き込みは、第４実施形態と同様である。また、第４実施形態と同様に、液晶パネル２３１の表示領域は、説明の便宜上、領域Ｄ１（最も上方に位置する表示領域）乃至領域Ｄ８（最も下方に位置する表示領域）に概念的に分割して示されている。領域Ｄ１乃至領域Ｄ８と、液晶パネル２３１の照射領域Ｌ１乃至Ｌ８の対応関係は、第４実施形態と同様である。加えて、第４実施形態と同様に、第２制御部２４０は、領域Ｄ１における液晶パネル２３１の液晶層の応答完了時刻から領域Ｄ８における液晶層の応答完了時刻までの間、左眼フィルタ３１１又は右眼フィルタ３１２を透過する光量を増大させるように眼鏡装置３００の光学フィルタ部３１０を制御する。したがって、光量増大期間Ｉは、Ｌ区間とＲ区間との間の切り替わり時刻を跨ぐ。光量増大期間Ｉの開始時刻は、Ｌ区間とＲ区間との間の切り替わり時刻前であり、光量増大期間Ｉの終了時刻は、Ｌ区間とＲ区間との間の切り替わり時刻後である。また、第１発光期間Ｅ１におけるバックライト２３２の点灯は、第４実施形態で説明されたバックライトスキャンに従う。
【００９４】
表示装置２００Ａは、一般的に、略垂直に立設される。したがって、映像（左眼用映像及び右眼用映像）の上部を表示する領域Ｄ１は、物理的に、上方に位置することが多い。また、映像の下部を表示する領域Ｄ８は、物理的に、下方に位置することが多い。このとき、液晶パネル２３１及びバックライト２３２の動作に起因する熱は、対流の影響により、上方に向かうので、液晶パネル２３１の上方に存する表示領域ほど、高い温度となりやすい。逆に、液晶パネル２３１の下方に存する表示領域ほど、低い温度となりやすい。
【００９５】
図１１のセクション（Ｃ）に示される如く、第１制御部２５０Ａは、バックライト２３２のサブ発光のデューティ（第２発光期間Ｅ２の長さ）を下方の照射領域ほど大きくしている（即ち、「照射領域Ｌ１におけるサブ発光のデューティ」＜「照射領域Ｌ２におけるサブ発光のデューティ」＜・・・＜「照射領域Ｌ８におけるサブ発光のデューティ」）。この結果、バックライト２３２の発熱量は、下方の照射領域ほど大きくなる。この結果、液晶パネル２３１の表示領域は、均一な温度分布に近づけられる。かくして、液晶パネル２３１全体的にクロストークの低減が図られる。
【００９６】
上述の如く、本実施形態では、第１制御部２５０Ａは、第２発光期間Ｅ２の長さを照射領域Ｌ１乃至Ｌ８ごとに調整している。代替的に、第１制御部２５０Ａは、第２発光期間Ｅ２におけるバックライト２３２の発光輝度を照射領域Ｌ１乃至Ｌ８ごとに調整してもよい。例えば、第１制御部２５０Ａは、「照射領域Ｌ１におけるサブ発光輝度」＜「照射領域Ｌ１におけるサブ発光輝度」＜・・・＜「照射領域Ｌ８におけるサブ発光輝度」となるように、バックライト２３２を制御してもよい。
【００９７】
上述の如く、本実施形態では、「照射領域Ｌ１におけるサブ発光のデューティ」＜「照射領域Ｌ２におけるサブ発光のデューティ」＜・・・＜「照射領域Ｌ８におけるサブ発光のデューティ」となるように、第１制御部２５０Ａはバックライト２３２を制御する。代替的に、第１制御部２５０Ａは、表示装置２００Ａが設置された環境及び／又は表示装置２００Ａの特性に応じて定まる液晶パネル２３１の表示領域の温度分布特性に応じて、バックライト２３２を制御してもよい。例えば、液晶パネル２３１の表示領域の中央部分が比較的暖まりやすい特性を有する表示装置２００Ａの場合、第１制御部２５０Ａは液晶パネル２３１の周縁近傍を暖めるようにバックライト２３２を制御してもよい。
【００９８】
温度検出部２３３は、液晶パネル２３１の一部の温度を検出してもよい。代替的に、温度検出部２３３は、液晶パネル２３１の各領域Ｄ１乃至Ｄ８或いはこれら各領域の一部の温度を検出してもよい。第１制御部２５０Ａは、各領域Ｄ１乃至Ｄ８においてそれぞれ検出された温度に基づき、サブ発光のデューティ（第２発光期間Ｅ２の長さ）や第２発光期間Ｅ２における各照射領域Ｌ１乃至Ｌ８の発光輝度を調整してもよい。このような制御によっても、比較的一様な液晶パネル２３１の温度分布が得られ、局所的なクロストークの発生が好適に抑制される。
【００９９】
第１制御部２５０Ａは、各照射領域Ｌ１乃至Ｌ８における第２発光期間Ｅ２の長さ及び第２発光期間Ｅ２におけるバックライト２３２の発光輝度のうち少なくとも一方のパラメータを調整可能であることが好ましい。この結果、比較的一様な液晶パネル２３１の温度分布が得られ、局所的なクロストークの発生が好適に抑制される。
【０１００】
上述の実施形態を通じて説明された原理が逸脱されない限り、当業者が想到することができる様々な変更がなされてもよい。また、上述の様々な実施形態に示される構成要素が組み合わされた形態は、上述された説明の要旨の範囲内に含まれる。
【０１０１】
上述された実施形態は、すべての点で例示的なものであって制限的なものではないと考えられるべきである。上述された説明の要旨の範囲は、詳述された実施形態ではなく、特許請求の範囲によって示され、特許請求の範囲と均等の意味及び範囲内でのすべての変更が含まれることが意図される。
【０１０２】
上述された実施形態は、以下の構成を主に備える。以下の構成を備える表示装置及び映像視聴システムは、左眼用映像と右眼用映像との間のクロストークを抑制することができる。
【０１０３】
上述の実施形態の一の局面に係る表示装置は、左眼で視聴されるように作成された左眼用映像と右眼で視聴されるように作成された右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が左眼で視聴される左眼視聴期間及び前記右眼用映像が右眼で視聴される右眼視聴期間それぞれにおいて、前記バックライトが発光する第１発光期間が設けられるように前記バックライトを制御する制御部と、を備え、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【０１０４】
上記構成によれば、液晶駆動部によって書き込まれた映像信号に応じて、液晶パネルは、左眼で視聴されるように作成された左眼用映像と右眼で視聴されるように作成された右眼用映像とを時間的に交互に切り換えて表示する。左眼用映像は、左眼視聴期間において左眼で視聴される。右眼用映像は、右眼用視聴期間において右眼で視聴される。この結果、視聴者は、脳内で視覚的な立体像を生成することができる。バックライトは、制御部の制御下で、液晶パネルに光を照射する。バックライトが発光する第１発光期間は、左眼用映像が左眼で視聴される左眼視聴期間及び右眼用映像が右眼で視聴される右眼視聴期間それぞれに設けられる。したがって、視聴者は、左眼視聴期間及び右眼視聴期間において、左眼用映像及び右眼用映像それぞれを好適に視聴することができる。制御部は更に、左眼用映像及び右眼用映像がともに視聴されない非視聴期間において、バックライトを発光させる第２発光期間を設ける。第１発光期間と第２発光期間との間には、バックライトが消灯される消灯期間が設けられる。かくして、バックライトによる電力消費及びバックライトの温度低下が好適に抑制される。バックライトの温度低下が抑制されるので、液晶パネルの応答速度の低下が好適に抑制される。したがって、左眼用映像と右眼用映像との間のクロストークの発生が適切に抑制される。
【０１０５】
上記構成において、前記液晶パネルの温度を検出する温度検出部を更に備え、前記制御部は、前記液晶パネルの前記温度に応じて、前記第２発光期間の長さを調整することが好ましい。
【０１０６】
上記構成によれば、温度検出部は、液晶パネルの温度を検出する。制御部は、液晶パネルの温度に応じて、第２発光期間の長さを調整する。したがって、バックライトの温度が適切に制御されることとなる。かくして、左眼用映像と右眼用映像との間のクロストークの発生が適切に抑制される。
【０１０７】
上記構成において、前記液晶パネルの温度を検出する温度検出部を更に備え、前記制御部は、前記液晶パネルの前記温度に応じて、前記第２発光期間における前記バックライトの発光輝度を調整することが好ましい。
【０１０８】
上記構成によれば、温度検出部は、液晶パネルの温度を検出する。制御部は、液晶パネルの温度に応じて、第２発光期間におけるバックライトの発光輝度を調整する。したがって、バックライトの温度が適切に制御されることとなる。かくして、左眼用映像と右眼用映像との間のクロストークの発生が適切に抑制される。
【０１０９】
上記構成において、前記バックライトは、互いに異なる前記液晶パネルの領域に前記光を照射する第１照射領域及び第２照射領域を含み、前記制御部は、前記第１照射領域における前記第２発光期間の長さと、前記第２照射領域における前記第２発光期間の長さとを独立して制御することが好ましい。
【０１１０】
上記構成によれば、バックライトは、第１照射領域と第２照射領域とを含む。第１照射領域及び第２照射領域は互いに異なる液晶パネルの領域に光を照射する。制御部は、第１照射領域における第２発光期間の長さと、第２照射領域における第２発光期間の長さとを独立して制御する。かくして、液晶パネルの温度のばらつきに対応して、第２発光期間の長さの制御が行われる。したがって、左眼用映像と右眼用映像との間のクロストークの発生が適切に抑制される。
【０１１１】
上記構成において、前記バックライトは、互いに異なる前記液晶パネルの領域に前記光を照射する第１照射領域及び第２照射領域を含み、前記制御部は、前記第１照射領域の発光輝度と、前記第２照射領域の発光輝度とを独立して制御することが好ましい。
【０１１２】
上記構成によれば、バックライトは、第１照射領域と第２照射領域とを含む。第１照射領域及び第２照射領域は互いに異なる液晶パネルの領域に光を照射する。制御部は、第１照射領域の発光輝度と、第２照射領域の発光輝度とを独立して制御する。かくして、液晶パネルの温度のばらつきに対応して、発光輝度の制御が行われる。したがって、左眼用映像と右眼用映像との間のクロストークの発生が適切に抑制される。
【０１１３】
上記構成において、前記液晶パネルは、前記第１照射領域によって光が照射される第１表示領域と、前記第２照射領域によって光が照射される第２表示領域とを含み、前記温度検出部は、前記第１表示領域及び前記第２表示領域の温度を検出し、前記第１表示領域の温度が前記第２表示領域の温度より低いとき、前記制御部は、前記第１照射領域における前記第２発光期間を第２照射領域における前記第２発光期間より長くし、前記第２表示領域の温度が前記第１表示領域の温度より低いとき、前記制御部は、前記第２照射領域における前記第２発光期間を第１照射領域における前記第２発光期間より長くすることが好ましい。
【０１１４】
上記構成によれば、温度検出部は、第１照射領域によって光が照射される第１表示領域及び第２照射領域によって光が照射される第２表示領域の温度を検出する。第１表示領域の温度が第２表示領域の温度より低いとき、制御部は、第１照射領域における第２発光期間を第２照射領域における第２発光期間より長くする。また、第２表示領域の温度が第１表示領域の温度より低いとき、制御部は、第２照射領域における第２発光期間を第１照射領域における第２発光期間より長くする。したがって、温度が低下している領域の温度が適切に上昇される。かくして、左眼用映像と右眼用映像との間のクロストークの発生が適切に抑制される。また、第２発光期間の長さが不必要に増大されないので、バックライトの電力消費が抑制される。
【０１１５】
上記構成において、前記液晶パネルは、前記第１照射領域によって光が照射される第１表示領域と、前記第２照射領域によって光が照射される第２表示領域とを含み、前記温度検出部は、前記第１表示領域及び前記第２表示領域の温度を検出し、前記第１表示領域の温度が前記第２表示領域の温度より低いとき、前記制御部は、前記第１照射領域の発光輝度を前記第２照射領域の発光輝度よりも高くし、前記第２表示領域の温度が前記第１表示領域の温度より低いとき、前記制御部は、前記第２照射領域の発光輝度を前記第１照射領域の発光輝度よりも高くすることが好ましい。
【０１１６】
上記構成によれば、温度検出部は、第１照射領域によって光が照射される第１表示領域及び第２照射領域によって光が照射される第２表示領域の温度を検出する。第１表示領域の温度が第２表示領域の温度より低いとき、制御部は、第１照射領域の発光輝度を第２照射領域の発光輝度よりも高くする。また、第２表示領域の温度が第１表示領域の温度より低いとき、制御部は、第２照射領域の発光輝度を第１照射領域の発光輝度よりも高くする。したがって、温度が低下している領域の温度が適切に上昇される。かくして、左眼用映像と右眼用映像との間のクロストークの発生が適切に抑制される。また、バックライトの発光輝度が不必要に増大されないので、バックライトの電力消費が抑制される。
【０１１７】
上記構成において、前記第１照射領域は、前記第２照射領域よりも上方に形成され、前記制御部は、前記第２照射領域における前記第２発光期間を第１照射領域における前記第２発光期間より長くすることが好ましい。
【０１１８】
上記構成によれば、熱対流により、比較的、温度上昇がしやすい上方の領域に光を照射する第１照射領域の第２発光期間よりも、比較的低温になりやすい下方の領域に光を照射する第２照射領域の第２発光期間が長くされる。したがって、温度が低下しやすい領域の温度が適切に上昇される。かくして、左眼用映像と右眼用映像との間のクロストークの発生が適切に抑制される。また、第２発光輝度の長さが不必要に増大されないので、バックライトの電力消費が抑制される。
【０１１９】
上記構成において、前記第１照射領域は、前記第２照射領域よりも上方に形成され、前記制御部は、前記第２照射領域の発光輝度を前記第１照射領域の発光輝度よりも高くすることを特徴とする。
【０１２０】
上記構成によれば、熱対流により、比較的、温度上昇がしやすい上方の領域に光を照射する第１照射領域の発光輝度よりも、比較的低温になりやすい下方の領域に光を照射する第２照射領域の発光輝度が高くされる。したがって、温度が低下しやすい領域の温度が適切に上昇される。かくして、左眼用映像と右眼用映像との間のクロストークの発生が適切に抑制される。また、バックライトの発光輝度が不必要に増大されないので、バックライトの電力消費が抑制される。
【０１２１】
上記構成において、前記第１表示領域及び前記第２表示領域は、前記液晶駆動部による前記映像信号の書き込みの副走査方向に分割され、前記制御部は、前記第１表示領域への前記映像信号の書き込みに同期して、前記第１照射領域を発光させるとともに前記第２表示領域への前記映像信号の書き込みに同期して前記第２照射領域を発光させるように前記第１発光期間を設けることが好ましい。
【０１２２】
上記構成によれば、第１表示領域及び第２表示領域は、液晶駆動部による映像信号の書き込みの副走査方向に分割される。制御部が、第１表示領域への映像信号の書き込みに同期して、第１照射領域を発光させるとともに第２表示領域への映像信号の書き込みに同期して第２照射領域を発光させるように第１発光期間を設けるので、比較的長い第１発光期間が設定される。かくして、視聴者は比較的高い明度の映像を視聴することができる。
【０１２３】
上記構成において、前記制御部は、前記左眼へ到達する光の量を調整する左眼フィルタと、前記右眼へ到達する光の量を調整する右眼フィルタと、を含む眼鏡装置を制御し、前記左眼フィルタは、前記制御部の制御下で、前記左眼視聴期間において前記左眼へ到達する前記光の量を増大させ、前記右眼フィルタは、前記制御部の制御下で、前記右眼視聴期間において前記右眼へ到達する前記光の量を増大させることが好ましい。
【０１２４】
上記構成によれば、制御部は、左眼へ到達する光の量を調整する左眼フィルタと、右眼へ到達する光の量を調整する右眼フィルタと、を含む眼鏡装置を制御する。制御部は、左眼視聴期間において、左眼へ到達する前記光の量を増大させるとともに右眼視聴期間において、右眼へ到達する光の量を増大させる。かくして、視聴者は、左眼視聴期間において左眼で左眼用映像を視聴し、右眼視聴期間において右眼で右眼用映像を視聴することができる。
【０１２５】
上述の実施形態の他の局面に係る映像視聴システムは、左眼用映像と右眼用映像とを時間的に切り換えて表示する表示装置と、前記左眼へ到達する光の量を調整する左眼フィルタと、前記右眼へ到達する光の量を調整する右眼フィルタと、を含む眼鏡装置と、を備え、前記表示装置は、左眼用映像と右眼用映像とを時間的に交互に切り換えて表示する液晶パネルと、前記左眼用映像を作成するための左眼用映像信号と、前記右眼用映像を作成するための右眼用映像信号と、を含む映像信号を前記液晶パネルに書き込む液晶駆動部と、該液晶パネルに光を照射するバックライトと、前記左眼用映像が視聴される左眼視聴期間及び前記右眼用映像が視聴される右眼視聴期間それぞれにおいて、前記バックライトが発光する第１発光期間が設けられるように前記バックライトを制御する制御部と、を備え、前記左眼フィルタは、前記制御部の制御下で、前記左眼視聴期間において、前記左眼へ到達する前記光の量を増大させ、前記右眼フィルタは、前記制御部の制御下で、前記右眼視聴期間において、前記右眼へ到達する前記光の量を増大させ、該制御部は、前記左眼用映像及び前記右眼用映像がともに視聴されない非視聴期間において、前記バックライトが発光する第２発光期間が設けられるように前記バックライトを制御するとともに、前記第１発光期間と前記第２発光期間との間に、前記バックライトが消灯される消灯期間を設けることを特徴とする。
【０１２６】
上記構成によれば、液晶駆動部によって書き込まれた映像信号に応じて、液晶パネルは、左眼で視聴されるように作成された左眼用映像と右眼で視聴されるように作成された右眼用映像とを時間的に交互に切り換えて表示する。眼鏡装置の左眼フィルタは、左眼視聴期間において、左眼へ到達する光の量を増大させる。したがって、視聴者は、左眼視聴期間において左眼で左眼用映像を視聴することができる。眼鏡装置の右眼フィルタは、右眼視聴期間において、右眼へ到達する光の量を増大させる。したがって、視聴者は、右眼視聴期間において右眼で右眼用映像を視聴することができる。この結果、視聴者は、脳内で視覚的な立体像を生成することができる。バックライトは、制御部の制御下で、液晶パネルに光を照射する。バックライトが発光する第１発光期間は、左眼視聴期間及び右眼視聴期間中に設けられる。したがって、視聴者は、左眼視聴期間及び右眼視聴期間において、左眼用映像及び右眼用映像それぞれを好適に視聴することができる。制御部は更に、左眼用映像及び右眼用映像がともに視聴されない非視聴期間において、バックライトを発光させる第２発光期間を設ける。第１発光期間及び第２発光期間は断続的に設けられる。かくして、バックライトによる電力消費及びバックライトの温度低下が好適に抑制される。バックライトの温度低下が抑制されるので、液晶パネルの応答速度の低下が好適に抑制される。したがって、左眼用映像と右眼用映像との間のクロストークの発生が適切に抑制される。
【産業上の利用可能性】
【０１２７】
本実施形態の原理は、クロストークの低減が可能な表示装置及び映像視聴システムに好適に適用される。
【手続補正３】
【補正対象書類名】図面
【補正対象項目名】全図
【補正方法】変更
【補正の内容】
【図１】
2011142141.tif 000018
【図２】
2011142141.tif 000019
【図３】
2011142141.tif 000020
【図４】
2011142141.tif 000021
【図５】
2011142141.tif 000022
【図６】
2011142141.tif 000023
【図７Ａ】
2011142141.tif 000024
【図７Ｂ】
2011142141.tif 000025
【図８】
2011142141.tif 000026
【図９】
2011142141.tif 000027
【図１０】
2011142141.tif 000028
【図１１】
2011142141.tif 000029
【図１２】
2011142141.tif 000030
【図１３】
2011142141.tif 000031
【図１４】
2011142141.tif 000032
【国際調査報告】
2011142141.tif 000033
2011142141.tif 000034